(57)【要約】【課題】電子マネー機関の既存の自動取引装置を利用して、各ポイント機関のポイントを該電子マネー機関の電子マネーに直接変換可能なポイント変換システムを提供する。【解決手段】ポイント変換システムにおいて、入力された変換先機関識別情報、変換要求データ、変換ポイント情報、第１顧客識別情報及び第２顧客識別情報をポイント機関サーバへ送信する端末送信部を顧客端末に設け、変換ポイント情報及び第１顧客識別情報に基づいて累積ポイント情報に対して減算処理を行うポイント処理部と、変換レート及び変換ポイント情報に基づいて電子マネー情報を演算する電子マネー演算部と、変換先機関識別情報に基づいて、第２顧客識別情報及び電子マネー情報を電子マネー機関サーバへ送信するポイントサーバ送信部とをポイント機関サーバに設け、受信した電子マネー情報を第２顧客識別情報に対応させて格納する電子マネー情報格納部を電子マネー機関サーバに設ける。【選択図】        図１
2008021013.tif 000002
【特許請求の範囲】
【請求項１】
電子マネーを発行する電子マネー機関の電子マネー機関サーバと、該電子マネー機関サーバと通信可能で、ポイントサービスを実施するポイント機関のポイント機関サーバと、該ポイント機関サーバと通信可能な顧客端末とを含むポイント変換システムであって、
前記顧客端末は、
前記電子マネー機関に対応する変換先機関識別情報と、該電子マネー機関の電子マネーへのポイント変換要求を示す変換要求データと、変換すべき変換ポイント情報と、ポイント機関における顧客識別情報としての第１顧客識別情報と、電子マネー機関における顧客識別情報としての第２顧客識別情報とを入力する端末入力部と、
入力された前記変換先機関識別情報、前記変換要求データ、前記変換ポイント情報、前記第１顧客識別情報及び前記第２顧客識別情報を前記ポイント機関サーバへ送信する端末送信部と、
を備え、
前記ポイント機関サーバは、
前記ポイントと電子マネーとの変換レートを、該電子マネー機関の機関識別情報に対応させて格納するレート格納部と、
顧客の累積ポイント情報を、該顧客の第１顧客識別情報に対応させて格納するポイント情報格納部と、
前記顧客端末から前記変換先機関識別情報、前記変換要求データ、前記変換ポイント情報、第１顧客識別情報及び前記第２顧客識別情報を受信するポイントサーバ受信部と、
受信した前記変換ポイント情報及び前記第１顧客識別情報に基づいて、前記ポイント情報格納部に格納されている前記累積ポイント情報に対して減算処理を行うポイント処理部と、
受信した前記変換先機関識別情報に基づいて、前記レート格納部から前記変換レートを読み出して、該変換レート及び受信した前記変換ポイント情報に基づいて、変換される電子マネーの金額を示す電子マネー情報を演算する電子マネー演算部と、
演算された前記電子マネー情報及び受信した前記第２顧客識別情報を、受信した前記変換先機関識別情報に基づいて前記電子マネー機関サーバへ送信するポイントサーバ送信部と、
を備え、
前記電子マネー機関サーバは、
前記ポイント機関サーバから前記電子マネー情報及び前記第２顧客識別情報を受信する電子マネーサーバ受信部と、
受信した前記電子マネー情報を、受信した前記第２顧客識別情報と対応させて格納する顧客情報格納部と、
を備えることを特徴とするポイント変換システム。
【請求項２】
前記電子マネー機関サーバは、
前記ポイント機関サーバから受信した前記第２顧客識別情報に対応して前記顧客情報格納部に格納されている電子マネー情報に対して、前記ポイント機関サーバから受信した電子マネー情報の加算処理を行う電子マネー処理部を更に備える
ことを特徴とする請求項１記載のポイント変換システム。
【請求項３】
前記端末入力部は、更に複数の記号からなる端末入力番号を前記顧客に入力させ、
前記端末送信部は、更に入力された前記端末入力番号を前記ポイント機関サーバへ送信し、
前記ポイント情報格納部は、更に予め設定された暗証番号としての第１暗証番号を、前記第１顧客識別情報に対応させて格納し、
前記ポイントサーバ受信部は、更に前記顧客端末から前記端末入力番号を受信し、
前記ポイント機関サーバは、
前記ポイントサーバ受信部により受信された前記第１顧客識別情報に基づいて、前記ポイント情報格納部に格納されている第１暗証番号を検索し、該第１暗証番号に受信した前記端末入力番号が一致するか否かを判断する検索判断部を更に備え、
一致すると判断されると、前記ポイント処理部は、前記減算処理を行う
ことを特徴とする請求項１記載のポイント変換システム。
【請求項４】
前記ポイント機関サーバは、
変換要求する電子マネーの金額種別を前記顧客に選択させるための金額種別選択画面を格納しているサーバ画面格納部と、
前記サーバ画面格納部から前記金額種別選択画面を読み出して、前記電子マネー演算部により演算された前記電子マネー情報に基づいて、該金額種別選択画面に対して編集処理を行うサーバ画面編集部と、
を更に備え、
前記ポイントサーバ送信部は、更に編集された前記金額種別選択画面を前記顧客端末へ送信し、
前記顧客端末は、
前記ポイント機関サーバから前記金額種別選択画面を受信する端末受信部と、
受信した前記金額種別選択画面を表示する端末表示部と、
を更に備え、
表示された前記金額種別選択画面において、金額種別が選択されると、前記端末入力部は、更に対応する金額種別情報の入力を行い、
前記端末送信部は、更に入力された前記金額種別情報を前記ポイント機関サーバへ送信し、
前記ポイントサーバ受信部は、更に前記金額種別情報を前記顧客端末から受信し、
前記ポイントサーバ送信部は、受信した前記金額種別情報を電子マネー情報として前記電子マネー機関サーバへ送信する
ことを特徴とする請求項１記載のポイント変換システム。
【請求項５】
前記金額種別選択画面は、金額種別を選択するための金額種別選択ボタンを有し、前記端末入力部は、前記金額種別選択ボタンからの選択信号に基づき、前記入力を行うことを特徴とする請求項４記載のポイント変換システム。
【請求項６】
通信回線を介して前記電子マネー機関サーバに接続する前記電子マネー機関の自動取引装置を更に含み、
前記自動取引装置は、
前記ポイント機関に対応する変換元機関識別情報と、ポイント変換された電子マネーの顧客の電子マネーカードへの格納要求を示す格納要求データと、前記顧客の第２顧客識別情報とを入力する入力部と、
入力された前記変換元機関識別情報、前記格納要求データ及び前記第２顧客識別情報を前記電子マネー機関サーバへ送信する装置送信部と、
を備え、
前記電子マネー機関サーバは、
前記自動取引装置に表示するためのポイント機関情報を、該ポイント機関の機関識別情報に対応させて格納するポイント機関情報格納部と、
前記自動取引装置から受信した前記第２顧客識別情報に基づいて、前記電子マネー情報格納部を検索し、対応する電子マネー情報を読み出す第１検索読出部と、
前記自動取引装置から受信した前記変換元機関識別情報に基づいて、前記ポイント機関情報格納部を検索し、対応するポイント機関情報を読み出す第２検索読出部と、
読み出された前記電子マネー情報及び前記ポイント機関情報を前記自動取引装置へ送信する電子マネーサーバ送信部と、
を更に備え、
前記自動取引装置は、
前記電子マネー機関サーバから前記電子マネー情報及び前記ポイント機関情報を受信する装置受信部と、
受信した前記電子マネー情報及び前記ポイント機関情報を表示する表示部と、
を更に備えることを特徴とする請求項１記載のポイント変換システム。
【請求項７】
前記入力部は、更に複数の記号からなる装置入力番号を前記顧客に入力させ、
前記装置送信部は、更に入力された前記装置入力番号を前記電子マネー機関サーバへ送信し、
前記電子マネー情報格納部は、更に予め設定された暗証番号としての第２暗証番号を、前記第２顧客識別情報に対応させて格納し、
前記電子マネーサーバ受信部は、更に前記自動取引装置から前記装置入力番号を受信し、
前記電子マネー機関サーバは、
前記自動取引装置から受信した前記第２顧客識別情報に基づいて、前記電子マネー情報格納部に格納されている前記第２暗証番号を検索し、該第２暗証番号に受信した前記装置入力番号が一致するか否かを判断する検索判断部を更に備え、
一致すると判断されると、前記第１検索読出部は、前記検索読出動作を行う
ことを特徴とする請求項６記載のポイント変換システム。
【請求項８】
前記電子マネー機関により発行された前記顧客の電子マネーカードを更に含み、
前記電子マネーカードは、
電子マネー情報を格納する電子マネー情報格納部を備え、
前記自動取引装置は、
前記電子マネー情報格納部から前記電子マネー情報を読み取るカード読取部と、
読み取られた前記電子マネー情報に、前記電子マネー機関サーバから受信した電子マネー情報を加算して、更新電子マネー情報を演算する装置演算部と、
演算された前記更新電子マネー情報を、電子マネー情報として前記電子マネー情報格納部に書き込むカード書込部と、
を更に備えることを特徴とする請求項６記載のポイント変換システム。
【請求項９】
前記電子マネーカードは、ＩＣ（Ｉｎｔｅｇｒａｔｅｄ  Ｃｉｒｃｕｉｔ）カードからなり、前記電子マネー情報格納部は、前記ＩＣカードが有するＩＣチップからなり、前記カード読取部は、前記ＩＣチップに対して読取処理を実行するＩＣカードリーダからなり、前記カード書込部は、前記ＩＣチップに対して書込処理を実行するＩＣカードライタからなることを特徴とする請求項８記載のポイント変換システム。
【請求項１０】
前記第２顧客識別情報は、前記電子マネー機関により発行された前記顧客のポイントカードのポイントカード番号からなり、前記自動取引装置は、前記ポイントカードから前記ポイントカード番号を読み取るカード読取部を更に備え、前記第２顧客識別情報の入力は、前記カード読取部により行われることを特徴とする請求項６記載のポイント変換システム。
【請求項１１】
前記第２顧客識別情報は、前記電子マネー機関により発行された前記顧客のクレジットカードのクレジットカード番号からなり、前記自動取引装置は、前記クレジットカードから前記クレジットカード番号を読み取るカード読取部を更に備え、前記第２顧客識別情報の入力は、前記カード読取部により行われることを特徴とする請求項６記載のポイント変換システム。
【請求項１２】
前記第２顧客識別情報は、前記電子マネー機関により発行された電子マネーカードの電子マネーカード番号からなり、前記自動取引装置は、前記電子マネーカードから前記電子マネーカード番号を読み取るカード読取部を更に備え、前記第２顧客識別情報の入力は、前記カード読取部により行われることを特徴とする請求項６記載のポイント変換システム。
【請求項１３】
前記電子マネーカードは、ＩＣチップを有するＩＣカードからなり、前記カード読取部は、前記ＩＣチップに対して読取処理を実行するＩＣカードリーダからなることを特徴とする請求項１２記載のポイント変換システム。
【請求項１４】
電子マネーを発行する電子マネー機関の自動取引装置と、通信回線を介して該自動取引装置に接続する前記電子マネー機関の電子マネー機関サーバと、該電子マネー機関サーバとの間で通信可能で、ポイントサービスを実施するポイント機関のポイントサーバとを含むポイント変換システムであって、
前記自動取引装置は、
ポイント機関に対応する変換元機関識別情報と、該ポイント機関のポイントから電子マネーへのポイント変換要求を示す変換要求データと、該ポイント機関における顧客識別情報としての第１顧客識別情報とを入力する入力部と、
入力された前記変換元機関識別情報、前記変換要求データ及び前記第１顧客識別情報を前記電子マネー機関サーバへ送信する装置送信部と、
を備え、
前記電子マネー機関サーバは、
前記自動取引装置から前記変換元機関識別情報、前記変換要求データ及び前記第１顧客識別情報を受信する電子マネーサーバ受信部と、
ポイント変換要求を示す変換要求信号を生成する電子マネーサーバ生成部と、
生成された前記変換要求信号及び受信した前記第１顧客識別情報を、受信した前記変換元機関識別情報に基づいてポイント機関サーバへ送信する電子マネーサーバ送信部と、
を備え、
前記ポイント機関サーバは、
顧客の累積ポイント情報を、該顧客の第１顧客識別情報に対応させて格納するポイント情報格納部と、
前記電子マネー機関サーバから前記変換要求信号及び第１顧客識別情報を受信するポイントサーバ受信部と、
受信した前記第１顧客識別情報に基づいて、前記ポイント情報格納部に格納されている累積ポイント情報に対してポイント変換処理を行うポイント処理部と、
を備えることを特徴とするポイント変換システム。
【請求項１５】
前記入力部は、更に複数の記号からなる装置入力番号を前記顧客に入力させ、
前記装置送信部は、更に入力された前記装置入力番号を前記電子マネー機関サーバへ送信し、
前記電子マネーサーバ受信部は、更に前記自動取引装置から前記装置入力番号を受信し、
前記電子マネーサーバ送信部は、更に前記ポイント機関サーバへ前記装置入力番号を送信し、
前記ポイント情報格納部は、更に予め設定された暗証番号を、前記第１顧客識別情報に対応させて格納し、
前記ポイントサーバ受信部は、更に前記電子マネー機関サーバから前記装置入力番号を受信し、
前記ポイント機関サーバは、
前記ポイントサーバ受信部により受信された前記第１顧客識別情報に基づいて、前記ポイント情報格納部に格納されている前記暗証番号を検索し、該暗証番号に受信した前記装置入力番号が一致するか否かを判断する検索判断部を更に備え、
一致すると判断されると、前記ポイント処理部は、前記ポイント処理を行う
ことを特徴とする請求項１４記載のポイント変換システム。
【請求項１６】
前記自動取引装置は、
変換要求する電子マネーの金額種別を前記顧客に選択させるための金額種別選択画面を格納している画面格納部と、
前記画面格納部から前記金額種別選択画面を読み出して、該金額種別選択画面に対して編集処理を行う画面編集部と、
編集された前記金額種別選択画面を表示する表示部と、
を更に備え、
表示された前記金額種別選択画面において、金額種別が選択されると、前記入力部は、更に対応する金額種別情報の入力を行い、
前記装置送信部は、更に入力された前記金額種別情報を前記電子マネー機関サーバへ送信し、
前記電子マネーサーバ受信部は、更に前記自動取引装置から前記金額種別情報を受信し、
前記電子マネーサーバ送信部は、更に受信した前記金額種別情報を前記ポイント機関サーバへ送信し、
前記ポイントサーバ受信部は、更に前記電子マネー機関サーバから前記金額種別情報を受信し、
前記ポイント処理部は、受信した前記金額種別情報に基づいて、前記ポイント変換処理を行う
ことを特徴とする請求項１４記載のポイント変換システム。
【請求項１７】
前記金額種別選択画面は、金額種別を選択するための金額種別選択ボタンを有し、前記入力部は、前記金額種別選択ボタンからの選択信号に基づき、前記入力を行うことを特徴とする請求項１６記載のポイント変換システム。
【請求項１８】
前記電子マネー機関により発行された前記顧客の電子マネーカードを更に含み、
前記電子マネーカードは、
電子マネー情報を格納する電子マネー情報格納部を備え、
前記自動取引装置は、
前記電子マネー情報格納部から前記電子マネー情報を読み取るカード読取部と、
読み取られた前記電子マネー情報に、前記入力部により入力された前記金額種別情報を加算して、更新電子マネー情報を演算する装置演算部と、
演算された前記更新電子マネー情報を、電子マネー情報として前記電子マネー情報格納部に書き込むカード書込部と、
を更に備えることを特徴とする請求項１６記載のポイント変換システム。
【請求項１９】
前記電子マネーカードは、ＩＣ（Ｉｎｔｅｇｒａｔｅｄ  Ｃｉｒｃｕｉｔ）カードからなり、前記電子マネー情報格納部は、前記ＩＣカードが有するＩＣチップからなり、前記カード読取部は、前記ＩＣチップに対して読取処理を実行するＩＣカードリーダからなり、前記カード書込部は、前記ＩＣチップに対して書込処理を実行するＩＣカードライタからなることを特徴とする請求項１８記載のポイント変換システム。
【請求項２０】
前記電子マネー機関サーバは、
ポイントと前記電子マネーとの変換レートを、該ポイント機関の機関識別情報に対応させて格納するポイント機関情報格納部と、
前記自動取引装置から受信した前記変換元機関識別情報に基づいて、前記ポイント機関情報格納部を検索して、対応する変換レートを読み出す第２検索読出部と、
前記自動取引装置から受信した前記金額種別情報及び前記第２検索読出部により読み出された前記変換レートに基づいて、変換すべき変換ポイント情報を演算するポイント演算部と、
を更に備え、
前記電子マネーサーバ送信部は、演算された前記変換ポイント情報を前記ポイント機関サーバへ送信し、
前記ポイントサーバ受信部は、更に前記電子マネー機関サーバから前記変換ポイント情報を受信し、
前記ポイント処理部は、受信した前記変換ポイント情報に基づいて、前記ポイント変換処理を行う
ことを特徴とする請求項１６記載のポイント変換システム。
【請求項２１】
前記電子マネーサーバ送信部は、更に該電子マネー機関の機関識別情報を前記ポイント機関サーバへ送信し、
前記ポイントサーバ受信部は、更に前記電子マネー機関サーバから前記機関識別情報を受信し、
前記ポイント処理部は、
前記ポイントと電子マネーとの変換レートを、該電子マネー機関の機関識別情報に対応させて格納しているレート格納部と、
受信した機関識別情報に基づいて、前記レート格納部から前記変換レートを読み出すレート読出部と、
読み出された前記変換レート及び前記電子マネー機関サーバから受信した前記金額種別情報に基づいて、変換すべき変換ポイント情報を演算するポイント演算部と、
前記累積ポイント情報に対して、演算された前記変換ポイント情報の減算処理を実行する実行部と、
を備えることを特徴とする請求項１６記載のポイント変換システム。
【請求項２２】
前記第１顧客識別情報は、前記ポイント機関により発行された前記顧客のポイントカードのポイントカード番号からなり、前記自動取引装置は、前記ポイントカードから前記ポイントカード番号を読み取るカード読取部を更に備え、前記第１顧客識別情報の入力は、前記カード読取部により行われることを特徴とする請求項１４記載のポイント変換システム。
【請求項２３】
前記第１顧客識別情報は、前記ポイント機関により発行された前記顧客のクレジットカードのクレジットカード番号からなり、前記自動取引装置は、前記クレジットカードから前記クレジットカード番号を読み取るカード読取部を更に備え、前記第１顧客識別情報の入力は、前記カード読取部により行われることを特徴とする請求項１４記載のポイント変換システム。
【請求項２４】
前記第１顧客識別情報は、前記ポイント機関により発行された前記顧客のキャッシュカードに記憶される口座番号からなり、前記自動取引装置は、前記キャッシュカードから前記口座番号を読み取るカード読取部を更に備え、前記第１顧客識別情報の入力は、前記カード読取部により行われることを特徴とする請求項１４記載のポイント変換システム。
【請求項２５】
前記電子マネー機関サーバは、前記電子マネー機関のホストコンピュータからなることを特徴とする請求項１或いは１４記載のポイント変換システム。
【請求項２６】
前記ポイント機関サーバは、前記ポイント機関のホストコンピュータからなることを特徴とする請求項１或いは１４記載のポイント変換システム。
【発明の詳細な説明】
【技術分野】
【０００１】
本発明は、ポイントサービスを実施するポイント機関のポイントを電子マネーを発行する電子マネー機関の電子マネーに変換するためのポイント変換システムに関する。
【背景技術】
【０００２】
クレジットカード会社や、銀行、航空会社等の各種機関において、商品の購入時や所定の取引処理の実行時、航空機への搭乗時に、利用金額に基づくポイントが顧客に付与されるポイントサービスが知られている。ポイントサービスを実施する機関、即ちポイント機関は、それぞれの運用ルールにしたがって顧客へのポイント付与を行うと共に、貯まったポイント数に応じて決済金額の割引や商品との交換のような各種特典を顧客に提供して、サービス性の向上や販売促進等を図っている。
【０００３】
また、複数のポイント機関の間で業務提携を結び、相互にポイントを変換可能とするポイント交換が、多くのポイント機関において実施されている。例えば、顧客がポイント機関Ａのポイントカードとポイント機関Ｂのポイントカードとを持っている場合、ポイント機関Ａのポイントカードに貯まったポイントを、ポイント機関Ｂのポイントに変換させて、該ポイント機関Ｂが提供する特典を享受できる。
【０００４】
また、上記したポイント機関の中には、電子マネーを発行するポイント機関、即ち電子マネー機関も存在する。このような電子マネー機関は、貯まったポイントを電子マネーに変換可能とするポイント変換を実施している。
【０００５】
ポイントから電子マネーへの変換処理は、電子マネー機関の店舗に設置された自動取引装置を利用して実行可能である。顧客は、該電子マネー機関のポイントカード及び電子マネーカードを、自動取引装置に挿入する。自動取引装置は、顧客のポイントカードに貯まったポイント数に応じて、変換可能な電子マネーの金額種別を示す選択ボタンを画面に表示する。そして、顧客が何れかの選択ボタンを選択すると、自動取引装置は、電子マネー機関のホストコンピュータとの間で処理を行い、顧客のポイントカードに貯まったポイント数を減じると共に、変換された電子マネーの金額を顧客の電子マネーカードの電子マネー残高に加算して、これらのカードを排出する。その後、顧客は、電子マネーカードを利用可能な店舗において、該電子マネーカードを利用して、商品の購入やサービスの利用等ができる。
【発明の開示】
【発明が解決しようとする課題】
【０００６】
しかしながら、ポイントから電子マネーへの変換は、従来、当該電子マネー機関のポイントサービス内においてのみ実施可能であった。そのため、電子マネーを発行しないポイント機関のポイントを、電子マネーに変換して使用したい場合、顧客は、まず、該ポイント機関に対して電子マネー機関のポイントへの交換を申し込み、ポイント交換処理が実行された後、更に、電子マネー機関に対してポイントから電子マネーへの変換を申し込まなければならず、非常に面倒であった。
【０００７】
また、各ポイント機関は、ポイント交換の実施回数等に対して、所定の制限を設けており、顧客からのポイント交換の申し込みに対して、制限に応じた審査を行った後、ポイント交換を実施する。ポイント機関は、従来、一定期間毎或いは一定件数毎に一括して、これらの処理を実行しているので、顧客がポイント機関に対してポイント交換の申し込みを行った後、電子マネー機関のポイントへのポイント交換処理が完了するまでには、時間を要するという問題があった。
【０００８】
一方、電子マネー機関におけるポイントから電子マネーへの変換は、上記したように、自動取引装置を利用して実行可能であり、顧客からのポイント変換の申し込み直後に、ポイントが電子マネーに変換されて使用可能となる。しかし、該自動取引装置において、他のポイント機関のポイントから該電子マネー機関の電子マネーへの変換を実現するためには、該ポイント機関に対応した画面表示や処理を実行可能とすべく、多大な手間及びコストをかけた開発が必要となる。したがって、他のポイント機関のポイントから電子マネーへの変換処理は、実現されていなかった。
【０００９】
そのため、電子マネー機関の店舗に設置された既存の自動取引装置を利用して、各ポイント機関により付与されたポイントを該電子マネー機関の電子マネーに直接変換可能なポイント変換システムが望まれていた。
【課題を解決するための手段】
【００１０】
本発明は、以上の点を解決するために、次の構成を採用する。
【００１１】
〈構成１〉
本発明に係るポイント変換システムは、電子マネーを発行する電子マネー機関の電子マネー機関サーバと、該電子マネー機関サーバと通信可能で、ポイントサービスを実施するポイント機関のポイント機関サーバと、該ポイント機関サーバと通信可能な顧客端末とを含み、顧客端末は、電子マネー機関に対応する変換先機関識別情報と、該電子マネー機関の電子マネーへのポイント変換要求を示す変換要求データと、変換すべき変換ポイント情報と、ポイント機関における顧客識別情報としての第１顧客識別情報と、電子マネー機関における顧客識別情報としての第２顧客識別情報とを入力する端末入力部と、入力された変換先機関識別情報、変換要求データ、変換ポイント情報、第１顧客識別情報及び第２顧客識別情報をポイント機関サーバへ送信する端末送信部とを備え、ポイント機関サーバは、ポイントと電子マネーとの変換レートを、該電子マネー機関の機関識別情報に対応させて格納するレート格納部と、顧客の累積ポイント情報を、該顧客の第１顧客識別情報に対応させて格納するポイント情報格納部と、顧客端末から変換先機関識別情報、変換要求データ、変換ポイント情報、第１顧客識別情報及び第２顧客識別情報を受信するポイントサーバ受信部と、受信した変換ポイント情報及び第１顧客識別情報に基づいて、ポイント情報格納部に格納されている累積ポイント情報に対して減算処理を行うポイント処理部と、受信した変換先機関識別情報に基づいて、レート格納部から変換レートを読み出して、該変換レート及び受信した変換ポイント情報に基づいて、変換される電子マネーの金額を示す電子マネー情報を演算する電子マネー演算部と、演算された電子マネー情報及び受信した第２顧客識別情報を、受信した変換先機関識別情報に基づいて電子マネー機関サーバへ送信するポイントサーバ送信部とを備え、電子マネー機関サーバは、ポイント機関サーバから電子マネー情報及び第２顧客識別情報を受信する電子マネーサーバ受信部と、受信した電子マネー情報を、受信した第２顧客識別情報と対応させて格納する顧客情報格納部とを備えることを特徴とする。
【００１２】
本発明に係るポイント変換システムにおいて、電子マネー機関サーバは、ポイント機関サーバから受信した第２顧客識別情報に対応して顧客情報格納部に格納されている電子マネー情報に対して、ポイント機関サーバから受信した電子マネー情報の加算処理を行う電子マネー処理部を更に備えることができる。
【００１３】
端末入力部は、更に複数の記号からなる端末入力番号を顧客に入力させることができる。この場合、端末送信部は、更に入力された端末入力番号をポイント機関サーバへ送信し、ポイント情報格納部は、更に予め設定された暗証番号としての第１暗証番号を、第１顧客識別情報に対応させて格納し、ポイントサーバ受信部は、更に顧客端末から端末入力番号を受信し、ポイント機関サーバは、ポイントサーバ受信部により受信された第１顧客識別情報に基づいて、ポイント情報格納部に格納されている第１暗証番号を検索し、該第１暗証番号に受信した端末入力番号が一致するか否かを判断する検索判断部を更に備え、一致すると判断されると、ポイント処理部は、減算処理を行う。
【００１４】
ポイント機関サーバは、変換要求する電子マネーの金額種別を顧客に選択させるための金額種別選択画面を格納しているサーバ画面格納部と、サーバ画面格納部から金額種別選択画面を読み出して、電子マネー演算部により演算された電子マネー情報に基づいて、該金額種別選択画面に対して編集処理を行うサーバ画面編集部とを更に備え、ポイントサーバ送信部は、更に編集された金額種別選択画面を顧客端末へ送信し、顧客端末は、ポイント機関サーバから金額種別選択画面を受信する端末受信部と、受信した金額種別選択画面を表示する端末表示部とを更に備え、表示された金額種別選択画面において、金額種別が選択されると、端末入力部は、更に対応する金額種別情報の入力を行い、端末送信部は、更に入力された金額種別情報をポイント機関サーバへ送信し、ポイントサーバ受信部は、更に金額種別情報を顧客端末から受信し、ポイントサーバ送信部は、受信した金額種別情報を電子マネー情報として電子マネー機関サーバへ送信することができる。
【００１５】
この場合、金額種別選択画面は、金額種別を選択するための金額種別選択ボタンを有し、端末入力部は、金額種別選択ボタンからの選択信号に基づき、入力を行う。
【００１６】
本発明に係るポイント変換システムは、通信回線を介して電子マネー機関サーバに接続する電子マネー機関の自動取引装置を更に含むことができる。この場合、自動取引装置は、ポイント機関に対応する変換元機関識別情報と、ポイント変換された電子マネーの顧客の電子マネーカードへの格納要求を示す格納要求データと、顧客の第２顧客識別情報とを入力する入力部と、入力された変換元機関識別情報、格納要求データ及び第２顧客識別情報を電子マネー機関サーバへ送信する装置送信部とを備え、電子マネー機関サーバは、自動取引装置に表示するためのポイント機関情報を、該ポイント機関の機関識別情報に対応させて格納するポイント機関情報格納部と、自動取引装置から受信した第２顧客識別情報に基づいて、電子マネー情報格納部を検索し、対応する電子マネー情報を読み出す第１検索読出部と、自動取引装置から受信した変換元機関識別情報に基づいて、ポイント機関情報格納部を検索し、対応するポイント機関情報を読み出す第２検索読出部と、読み出された電子マネー情報及びポイント機関情報を自動取引装置へ送信する電子マネーサーバ送信部とを更に備え、自動取引装置は、電子マネー機関サーバから電子マネー情報及びポイント機関情報を受信する装置受信部と、受信した電子マネー情報及びポイント機関情報を表示する表示部とを更に備える。
【００１７】
入力部は、更に複数の記号からなる装置入力番号を顧客に入力させることができる。この場合、装置送信部は、更に入力された装置入力番号を電子マネー機関サーバへ送信し、電子マネー情報格納部は、更に予め設定された暗証番号としての第２暗証番号を、第２顧客識別情報に対応させて格納し、電子マネーサーバ受信部は、更に自動取引装置から装置入力番号を受信し、電子マネー機関サーバは、自動取引装置から受信した第２顧客識別情報に基づいて、電子マネー情報格納部に格納されている第２暗証番号を検索し、該第２暗証番号に受信した装置入力番号が一致するか否かを判断する検索判断部を更に備え、一致すると判断されると、第１検索読出部は、検索読出動作を行う。
【００１８】
本発明に係るポイント変換システムは、電子マネー機関により発行された顧客の電子マネーカードを更に含むことができる。この場合、電子マネーカードは、電子マネー情報を格納する電子マネー情報格納部を備え、自動取引装置は、電子マネー情報格納部から電子マネー情報を読み取るカード読取部と、読み取られた電子マネー情報に、電子マネー機関サーバから受信した電子マネー情報を加算して、更新電子マネー情報を演算する装置演算部と、演算された更新電子マネー情報を、電子マネー情報として電子マネー情報格納部に書き込むカード書込部とを更に備える。
【００１９】
上記電子マネーカードとして、ＩＣ（Ｉｎｔｅｇｒａｔｅｄ  Ｃｉｒｃｕｉｔ）カードを採用することができる。この場合、電子マネー情報格納部として、ＩＣカードが有するＩＣチップが採用され、カード読取部として、ＩＣチップに対して読取処理を実行するＩＣカードリーダが採用され、カード書込部として、ＩＣチップに対して書込処理を実行するＩＣカードライタが採用される。
【００２０】
第２顧客識別情報として、電子マネー機関により発行された顧客のポイントカードのポイントカード番号を採用することができる。この場合、自動取引装置は、ポイントカードからポイントカード番号を読み取るカード読取部を更に備え、第２顧客識別情報の入力は、カード読取部により行われる。
【００２１】
また、第２顧客識別情報として、電子マネー機関により発行された顧客のクレジットカードのクレジットカード番号を採用することもできる。この場合、自動取引装置は、クレジットカードからクレジットカード番号を読み取るカード読取部を更に備え、第２顧客識別情報の入力は、カード読取部により行われる。
【００２２】
更に、第２顧客識別情報として、電子マネー機関により発行された電子マネーカードの電子マネーカード番号を採用することもできる。この場合、自動取引装置は、電子マネーカードから電子マネーカード番号を読み取るカード読取部を更に備え、第２顧客識別情報の入力は、カード読取部により行われる。
【００２３】
上記電子マネーカードとして、ＩＣチップを有するＩＣカードを採用することができる。この場合、カード読取部として、ＩＣチップに対して読取処理を実行するＩＣカードリーダが採用される。
【００２４】
本発明に係るポイント変換システムにおいて、電子マネー機関サーバとして、電子マネー機関のホストコンピュータを採用することができる。
【００２５】
また、ポイント機関サーバとして、ポイント機関のホストコンピュータを採用することができる。
【００２６】
〈構成２〉
本発明に係るポイント変換システムは、電子マネーを発行する電子マネー機関の自動取引装置と、通信回線を介して該自動取引装置に接続する電子マネー機関の電子マネー機関サーバと、該電子マネー機関サーバとの間で通信可能で、ポイントサービスを実施するポイント機関のポイントサーバとを含み、自動取引装置は、ポイント機関に対応する変換元機関識別情報と、該ポイント機関のポイントから電子マネーへのポイント変換要求を示す変換要求データと、該ポイント機関における顧客識別情報としての第１顧客識別情報とを入力する入力部と、入力された変換元機関識別情報、変換要求データ及び第１顧客識別情報を電子マネー機関サーバへ送信する装置送信部とを備え、電子マネー機関サーバは、自動取引装置から変換元機関識別情報、変換要求データ及び第１顧客識別情報を受信する電子マネーサーバ受信部と、ポイント変換要求を示す変換要求信号を生成する電子マネーサーバ生成部と、生成された変換要求信号及び受信した第１顧客識別情報を、受信した変換元機関識別情報に基づいてポイント機関サーバへ送信する電子マネーサーバ送信部とを備え、ポイント機関サーバは、顧客の累積ポイント情報を、該顧客の第１顧客識別情報に対応させて格納するポイント情報格納部と、電子マネー機関サーバから変換要求信号及び第１顧客識別情報を受信するポイントサーバ受信部と、受信した第１顧客識別情報に基づいて、ポイント情報格納部に格納されている累積ポイント情報に対してポイント変換処理を行うポイント処理部とを備えることを特徴とする。
【００２７】
入力部は、更に複数の記号からなる装置入力番号を顧客に入力させることができる。この場合、装置送信部は、更に入力された装置入力番号を電子マネー機関サーバへ送信し、電子マネーサーバ受信部は、更に自動取引装置から装置入力番号を受信し、電子マネーサーバ送信部は、更にポイント機関サーバへ装置入力番号を送信し、ポイント情報格納部は、更に予め設定された暗証番号を、第１顧客識別情報に対応させて格納し、ポイントサーバ受信部は、更に電子マネー機関サーバから装置入力番号を受信し、ポイント機関サーバは、ポイントサーバ受信部により受信された第１顧客識別情報に基づいて、ポイント情報格納部に格納されている暗証番号を検索し、該暗証番号に受信した装置入力番号が一致するか否かを判断する検索判断部を更に備え、一致すると判断されると、ポイント処理部は、ポイント処理を行う。
【００２８】
本発明に係るポイント変換システムにおいて、自動取引装置は、変換要求する電子マネーの金額種別を顧客に選択させるための金額種別選択画面を格納している画面格納部と、画面格納部から金額種別選択画面を読み出して、該金額種別選択画面に対して編集処理を行う画面編集部と、編集された金額種別選択画面を表示する表示部とを更に備えることができる。この場合、表示された金額種別選択画面において、金額種別が選択されると、入力部は、更に対応する金額種別情報の入力を行い、装置送信部は、更に入力された金額種別情報を電子マネー機関サーバへ送信し、電子マネーサーバ受信部は、更に自動取引装置から金額種別情報を受信し、電子マネーサーバ送信部は、更に受信した金額種別情報をポイント機関サーバへ送信し、ポイントサーバ受信部は、更に電子マネー機関サーバから金額種別情報を受信し、ポイント処理部は、受信した金額種別情報に基づいて、ポイント変換処理を行う。
【００２９】
この場合、金額種別選択画面は、金額種別を選択するための金額種別選択ボタンを有し、入力部は、金額種別選択ボタンからの選択信号に基づき、入力を行う。
【００３０】
本発明に係るポイント変換システムは、電子マネー機関により発行された顧客の電子マネーカードを更に含むことができる。この場合、電子マネーカードは、電子マネー情報を格納する電子マネー情報格納部を備え、自動取引装置は、電子マネー情報格納部から電子マネー情報を読み取るカード読取部と、読み取られた電子マネー情報に、入力部により入力された金額種別情報を加算して、更新電子マネー情報を演算する装置演算部と、演算された更新電子マネー情報を、電子マネー情報として電子マネー情報格納部に書き込むカード書込部とを更に備えることができる。
【００３１】
上記電子マネーカードとして、ＩＣ（Ｉｎｔｅｇｒａｔｅｄ  Ｃｉｒｃｕｉｔ）カードを採用することができる。この場合、電子マネー情報格納部として、ＩＣカードが有するＩＣチップが採用され、カード読取部として、ＩＣチップに対して読取処理を実行するＩＣカードリーダが採用され、カード書込部として、ＩＣチップに対して書込処理を実行するＩＣカードライタが採用される。
【００３２】
本発明に係るポイント変換システムにおいて、電子マネー機関サーバは、ポイントと電子マネーとの変換レートを、該ポイント機関の機関識別情報に対応させて格納するポイント機関情報格納部と、自動取引装置から受信した変換元機関識別情報に基づいて、ポイント機関情報格納部を検索して、対応する変換レートを読み出す第２検索読出部と、自動取引装置から受信した金額種別情報及び第２検索読出部により読み出された変換レートに基づいて、変換すべき変換ポイント情報を演算するポイント演算部とを更に備えることができる。この場合、電子マネーサーバ送信部は、演算された変換ポイント情報をポイント機関サーバへ送信し、ポイントサーバ受信部は、更に電子マネー機関サーバから変換ポイント情報を受信し、ポイント処理部は、受信した変換ポイント情報に基づいて、ポイント変換処理を行う。
【００３３】
本発明に係るポイント変換システムにおいて、電子マネーサーバ送信部は、更に該電子マネー機関の機関識別情報をポイント機関サーバへ送信し、ポイントサーバ受信部は、更に電子マネー機関サーバから機関識別情報を受信し、ポイント処理部は、ポイントと電子マネーとの変換レートを、該電子マネー機関の機関識別情報に対応させて格納しているレート格納部と、受信した機関識別情報に基づいて、レート格納部から変換レートを読み出すレート読出部と、読み出された変換レート及び電子マネー機関サーバから受信した金額種別情報に基づいて、変換すべき変換ポイント情報を演算するポイント演算部と、累積ポイント情報に対して、演算された変換ポイント情報の減算処理を実行する実行部とを備えることを特徴とする。
【００３４】
本発明に係るポイント変換システムにおいて、第１顧客識別情報として、ポイント機関により発行された顧客のポイントカードのポイントカード番号を採用することができる。この場合、自動取引装置は、ポイントカードからポイントカード番号を読み取るカード読取部を更に備え、第１顧客識別情報の入力は、カード読取部により行われる。
【００３５】
また、第１顧客識別情報として、ポイント機関により発行された顧客のクレジットカードのクレジットカード番号を採用することもできる。この場合、自動取引装置は、クレジットカードからクレジットカード番号を読み取るカード読取部を更に備え、第１顧客識別情報の入力は、カード読取部により行われる。
【００３６】
更に、第１顧客識別情報として、ポイント機関により発行された顧客のキャッシュカードに記憶される口座番号を採用することもできる。この場合、自動取引装置は、キャッシュカードから口座番号を読み取るカード読取部を更に備え、第１顧客識別情報の入力は、カード読取部により行われる。
【００３７】
本発明に係るポイント変換システムにおいて、電子マネー機関サーバとして、電子マネー機関のホストコンピュータを採用することができる。
【００３８】
また、ポイント機関サーバとして、ポイント機関のホストコンピュータを採用することができる。
【発明の効果】
【００３９】
本発明のポイント変換システムによれば、電子マネー機関の既存の自動取引装置を利用して、各ポイント機関に応じた画面表示のもとに、該ポイント機関のポイントを電子マネー機関の電子マネーに変換して、顧客の電子マネーカードに格納可能となるので、自動取引装置に対する開発コストが抑制されると共に、サービス性の向上が実現される。また、顧客は、自動取引装置を利用可能な場所及び時間において、ポイント変換の申し込みが可能となると共に、申し込み直後にポイントが電子マネーに変換されて使用可能となるので、ポイント変換のための煩雑な手続が省略されると共に、ポイント変換処理に要する時間が短縮される。
【００４０】
以下、本発明の実施形態を図を用いて詳細に説明する。
【実施例１】
【００４１】
図２は、本発明の実施例１に係るポイント変換システムのシステム構成図である。
本発明に係るポイント変換システム１０は、図２に示されるように、電子マネーを発行する電子マネー機関「Ａ」の店舗に設置される自動取引装置１１と、該電子マネー機関「Ａ」のセンタに配置され、該自動取引装置１１に通信回線としての専用回線１２を介して接続されるホストコンピュータ１３及び電子マネー機関サーバ１４と、該電子マネー機関と業務提携を結び且つポイントサービスを実施する複数のポイント機関に配置され、該電子マネー機関サーバ１４とインターネット１５を介して通信可能な複数のポイント機関サーバ１６と、該ポイント機関サーバ１６とインターネット１７を介して通信可能な顧客端末１８と、電子マネー機能を有する顧客のＩＣカード１９とから構成される。このポイント変換システム１０を利用して、ポイント機関により発行されたポイントを電子マネー機関の電子マネーに変換して、顧客のＩＣカード１９に格納させることができる。
【００４２】
図１は、本発明の実施例１に係るポイント変換システムの一部の構成を示すブロック図である。
【００４３】
なお、本実施例では、電子マネー機関「Ａ」がクレジットカード会社であり、ポイント機関「Ｂ」が金融機関である場合を例として、該金融機関「Ｂ」のキャッシュカードとしての機能を有し、クレジットカード会社「Ａ」により発行された一体型のクレジットカードとしてのＩＣカード１９を含むポイント変換システム１０について、説明する。
【００４４】
顧客端末１８は、本実施例では顧客のパーソナルコンピュータからなり、端末表示部４７、端末入力部４８、端末通信部４９及びこれら各部を制御するための端末制御部５０を備えている。
なお、顧客端末１８として、例えば、ポイント機関サーバ１６−Ｂとの間で通信可能な顧客の携帯電話機や、携帯端末装置、携帯情報端末（ＰＤＡ）等を採用することも可能である。
【００４５】
端末表示部４７は、例えばｗｅｂブラウザ機能を有するディスプレイからなり、顧客に各種データを入力させるための入力画面や、顧客に選択させるための選択画面を表示する。
【００４６】
端末入力部４８は、例えばキーボードからなり、入力データや選択データを顧客に入力させて取得する機能を有する。この端末入力部４８を介して、顧客は、ポイント機関のポイントから電子マネー機関の電子マネーへの変換要求を示す変換要求データを入力することができる。
【００４７】
端末通信部４９は、インターネット１７を介して、ポイント機関サーバ１６との間でデータの送受信を行う。
【００４８】
端末制御部５０は、上記した各部４７〜４９を制御する機能を有する。
【００４９】
ポイント機関サーバ１６−Ｂは、上述したように、ポイント機関としての金融機関「Ｂ」に配置され、機関識別情報「Ｂ」を有し、図１に示されるように、ポイントサーバ通信部５１、ポイント情報格納部５２、ポイント処理部５３、ポイント検索判断部５４、ポイント検索読出部５５、レート格納部５６、電子マネー演算部５７、サーバ画面格納部５８、サーバ画面編集部５９、ポイントサーバ生成部６０及びこれら各部を制御するためのポイントサーバ制御部６１を備えている。
【００５０】
ポイントサーバ通信部５１は、ポイントサーバ送信部及びポイントサーバ受信部としての機能を有し、インターネット１７を介して顧客端末１８との間でデータの送受信を行い、また、インターネット１５を介して電子マネー機関サーバ１４との間でデータの送受信を行う。ポイントサーバ通信部５１により受信されたデータは、図示されない一時記憶部に記憶される。
【００５１】
ポイント情報格納部５２は、ポイント機関「Ｂ」において実施されているポイントサービスにおける顧客識別情報としての口座番号や、該顧客の累積ポイント数を示す累積ポイント情報等を格納する機能を有する。
【００５２】
図３は、ポイント情報格納部の構成を示す説明図である。
ポイント情報格納部５２には、図３に示されるように、顧客毎に、該顧客の口座における口座番号及び口座暗証番号に対応して、累積ポイント情報項目６２が設けられている。各累積ポイント情報項目６２には、該口座における累積ポイント数を示す累積ポイント情報が格納されている。
【００５３】
例えば、図３に示されるポイント情報格納部５２において、口座番号「１１１１１１１」の口座では、口座暗証番号は「１２３４」となっており、これらに対応して格納されている累積口座ポイント情報は「１８０００」となっている。
【００５４】
ポイント処理部５３は、ポイント情報格納部５２の累積ポイント情報項目６２に格納されている累積ポイント情報に対して、加算及び減算等の演算処理を行う機能を有する。例えば、顧客の口座に対して所定の取引処理が実行されると、該口座に対してポイントが付与されるので、ポイント処理部５３は、累積ポイント情報に対して、付与されたポイントの数の加算処理を行う。また、ポイント機関「Ｂ」が実施するポイントサービスにおける各特典との交換、例えば電子マネーへのポイント変換のために、ポイントが使用されると、ポイント処理部５３は、累積口座ポイント情報に対して、使用されたポイントの数の減算処理を行う。
【００５５】
ポイント検索判断部５４は、検索判断部として、ポイントサーバ通信部５１により顧客端末１８から受信した口座番号に基づいて、ポイント情報格納部５２に格納されている口座暗証番号を検索して、顧客端末１８から受信した端末入力番号に一致するか否かを判断する認証機能を有する。
【００５６】
ポイント検索読出部５５は、検索読出部として、ポイントサーバ通信部５１により顧客端末１８から受信した口座番号に基づいて、ポイント情報格納部５２を検索して、対応して格納されている累積ポイント情報の読み出しを行う。
【００５７】
レート格納部５６は、各電子マネー機関に関する情報を格納する格納部であり、ポイント機関「Ｂ」のポイントを各電子マネー機関の電子マネーへ変換する際の変換レートとしてのポイント変換レートを格納している。
【００５８】
図４は、レート格納部の構成を示す説明図である。
レート格納部５６には、図４に示されるように、ポイント変換レートが、各電子マネー機関の機関識別情報に対応して格納されている。
【００５９】
また、レート格納部５６には、ポイント変換可能な電子マネーの金額種別を示す許可金額種別情報が、電子マネー機関の機関識別情報に対応して格納されている。
【００６０】
例えば、図４に示されるレート格納部５６には、機関識別情報「Ａ」に対応するポイント変換レートは「２０００ポイント→１０００円」となっており、また許可金額種別情報は「２０００,４０００,６０００,８０００,１００００」となっている。即ち、電子マネー機関「Ａ」の電子マネーへの１回のポイント変換処理に際して、顧客が選択可能な電子マネーの金額種別は、２０００円、４０００円、６０００円、８０００円及び１００００円の中の何れかである。
【００６１】
なお、本実施例では、レート格納部に格納される各電子マネー機関に関するデータとして、変換レート及び許可金額種別情報を例に説明するが、これに限定されない。例えば、ポイント機関により、電子マネー機関の電子マネーへのポイント変換を実施可能な回数が制限されている場合、レート格納部には、更に該制限回数を示す制限回数情報が格納される。この場合、前述したポイント情報格納部において、顧客毎のポイント変換の実施回数を記憶させておくと共に、実施回数が制限回数内であるか否かを判断する判断部を更に設ける。このように、レート格納部には、ポイント変換に対して課せられた様々な制限についてのデータを格納させることができる。
【００６２】
電子マネー演算部５７は、ポイントサーバ通信部５１により顧客端末１８から受信した機関識別情報に基づいて、レート格納部５６からポイント変換レート及び許可金額種別情報を読み出して、変換される電子マネーの金額を示す電子マネー情報としての変換電子マネー情報を演算する機能を有する。
【００６３】
サーバ画面格納部５８は、顧客端末１８に表示される各種ｗｅｂ画面を格納している。
【００６４】
サーバ画面編集部５９は、サーバ画面格納部５８から画面を読み出して、電子マネー演算部５７により演算された変換電子マネー情報等の各種データに基づいて、該画面を適宜に編集する機能を有する。
【００６５】
ポイントサーバ生成部６０は、電子マネー機関サーバ１４へ送信するための各種信号を生成する機能を有する。
【００６６】
ポイントサーバ制御部６１は、上記した各部５１〜６０を制御する機能を有する。
【００６７】
電子マネー機関サーバ１４は、図１に示されるように、電子マネーサーバ通信部３０、顧客情報格納部３１、電子マネー処理部３２、検索判断部３３、第１検索読出部３４、ポイント機関情報格納部３５、第２検索読出部３６、電子マネーサーバ生成部３７及びこれら各部を制御するための電子マネーサーバ制御部３８を備えている。
なお、電子マネー機関サーバ１４は、本実施例では、電子マネー機関としてのクレジットカード会社「Ａ」に配置され、該機関を識別するための機関識別情報「Ａ」を有するものとする。
【００６８】
電子マネーサーバ通信部３０は、電子マネーサーバ送信部及び電子マネーサーバ受信部としての機能を有し、専用回線１２を介して自動取引装置１１との間でデータの送受信を行い、また、インターネット１５を介して、各ポイント機関サーバ１６との間でデータの送受信を行う。電子マネーサーバ通信部３０により受信されたデータは、図示されない一時記憶部に記憶される。
【００６９】
顧客情報格納部３１は、電子マネー機関「Ａ」において実施されているポイントサービスにおける顧客識別情報としてのクレジットカード番号や暗証番号等を格納している。
【００７０】
図５は、顧客情報格納部の構成を示す説明図である。
顧客情報格納部３１には、図５に示されるように、顧客毎にクレジットカードとしてのＩＣカード１９のクレジットカード番号に対応して、ＩＣカード１９のクレジットカードとしての暗証番号が格納されている。
【００７１】
また、顧客情報格納部３１には、複数の機関識別情報項目３９と、該機関識別情報項目３９それぞれに対応する顧客識別情報項目４０とが、それぞれ設けられている。これらの項目には、後述するように、該クレジットカード番号に対して、業務提携を結ぶ各ポイント機関で実施されるポイントサービスにおけるポイントとの間のポイント交換や、各ポイント機関のポイントから該電子マネー機関の電子マネーへのポイント変換等の実行を可能とすべく、ポイント交換先やポイント変換元として予め登録されている登録情報が格納されている。
【００７２】
機関識別情報項目３９には、該顧客に対してポイント変換元として登録されているポイント機関の機関識別情報が格納されている。そして、対応する顧客識別情報項目４０には、該ポイント機関のポイントサービスにおいて顧客を識別するための第１顧客識別情報としての顧客識別情報が格納されている。顧客識別情報項目４０に格納される顧客識別情報は、例えば、該ポイント機関により発行されたポイントカードのポイントカード番号や、クレジットカードのクレジットカード番号等であり、ポイント機関が金融機関である場合、顧客識別情報は該顧客の口座における口座番号である。
【００７３】
また、顧客情報格納部３１には、機関識別情報項目３９及び顧客識別情報項目４０に対応して、変換電子マネー情報項目４１が設けられている。この変換電子マネー情報項目４１には、ポイント機関のポイントから該電子マネー機関「Ａ」の電子マネーに予め変換された電子マネー、即ち変換電子マネーのうち、ＩＣカード１９への格納が実行されていない残高金額を示す電子マネー情報としての変換電子マネー情報が格納されている。
【００７４】
例えば、図５に示される顧客情報格納部３１において、クレジットカード番号「１１１１−１１１１−１１１１−１１１１」に対応する暗証番号は「１１１１」となっている。また、機関識別情報項目３９−１には、ポイント変換元として登録されているポイント機関「Ｂ」に対応する機関識別情報「Ｂ」が格納されており、対応する顧客識別情報項目４０−１には、顧客識別情報として、該金融機関における顧客の口座番号「１１１１１１１」が格納されている。更に、これらに対応する変換電子マネー情報項目４１−１には、「８０００」が格納されており、ポイント機関「Ｂ」により該顧客の口座に対して発行されたポイントから電子マネー機関「Ａ」の電子マネーに変換された変換電子マネーの残高金額が８０００円であることを示している。
【００７５】
なお、本実施例では、第２顧客識別情報としてクレジットカード番号を採用するが、これに限定されない、例えば、該機関により発行されたポイントカードのポイントカード番号や、顧客を識別可能な顧客番号等、種々の顧客識別情報を採用可能である。
また、同様に、第１顧客識別情報として、口座番号が採用されているが、該ポイント機関により発行されたポイントカードのポイントカード番号や、クレジットカードのクレジットカード番号等、顧客を識別可能な種々の顧客識別情報を採用可能である。
【００７６】
電子マネー処理部３２は、顧客情報格納部３１の変換電子マネー情報項目４１に格納されている変換電子マネー情報に対して、加算或いは減算等の演算処理を行う機能を有する。例えば、ポイント変換元として登録されているポイント機関のポイントから電子マネー機関「Ａ」の電子マネーへのポイント変換が実行されると、電子マネー処理部３２は、対応する変換電子マネー情報に対して加算処理を行う。また、後述するように、ポイント変換された変換電子マネーの顧客のＩＣカード１９に対する格納処理が実行されると、電子マネー処理部３２は、対応する変換電子マネー情報に対して減算処理を行う。
【００７７】
検索判断部３３は、電子マネーサーバ通信部３０により自動取引装置１１から受信したクレジットカード番号に基づいて、顧客情報格納部３１に格納されている暗証番号を検索して、自動取引装置１１から受信した装置入力番号に一致するか否かを判断する認証機能を有する。
【００７８】
第１検索読出部３４は、電子マネーサーバ通信部３０により自動取引装置１１から受信したクレジットカード番号に基づいて、顧客情報格納部３１を検索して、対応して格納されている機関識別情報や顧客識別情報、変換電子マネー情報等の読み出しを行う。
【００７９】
ポイント機関情報格納部３５は、電子マネー機関「Ａ」と業務提携を結んでいる各ポイント機関に関する情報を格納する格納部であり、自動取引装置１１において表示される各種文言等のデータを、各ポイント機関の機関識別情報に対応させて格納している。
【００８０】
図６は、実施例１におけるポイント機関情報格納部の構成を示す説明図である。
ポイント機関情報格納部３５には、図６に示されるように、ポイント機関毎に機関識別情報に対応して、案内文言情報項目４２が設けられている。
【００８１】
案内文言情報項目４２には、自動取引装置１１において表示されるポイント機関情報としての案内文言情報が格納されている。本実施例では、案内文言情報項目４２には、「チャージ可能な金額は、２０００円、４０００円、６０００円、８０００円、１００００円となります…」のような案内文言情報が格納されている。なお、案内文言情報はファイルとして格納しておき、該案内文言情報を格納したファイル名を案内文言情報項目４２に格納させる構成も可能である。
【００８２】
なお、本実施例では、ポイント機関情報格納部に格納されるデータとして、案内文言情報を例に説明するが、これに限定されない。例えば、ポイント機関により、該ポイント機関のポイントから変換された電子マネーを、自動取引装置を利用してＩＣカードに格納可能な回数が制限されている場合、該制限回数情報が格納される。また、変換された電子マネーに有効期限が設定されている場合、変換された日時を示す変換日時情報が格納される。このように、ポイント機関情報格納部には、ポイント機関毎に設けられたポイントサービスに対する様々な制限についてのデータを、格納させることが可能である。
【００８３】
第２検索読出部３６は、電子マネーサーバ通信部３０により自動取引装置１１から受信したクレジットカード番号に基づいて、顧客情報格納部３１を検索して、対応して格納されている各データを読み出す機能を有する。
【００８４】
電子マネーサーバ生成部３７は、自動取引装置１１や各ポイント機関サーバ１６へ送信するための各種信号を生成する機能を有する。
【００８５】
電子マネーサーバ制御部３８は、上記した各部３０〜３７を制御する機能を有する。
【００８６】
図７は、本発明に係る自動取引装置の一例を示す概略構成図である。
自動取引装置１１は、電子マネー機関「Ａ」の店舗に設置され、ＩＣカードリーダライタ２１、一時記憶部２２、表示入力部２３、装置画面格納部２４、装置画面編集部２５、装置演算処理部２６、装置生成部２７、装置通信部２８及びこれら各部を制御するための装置制御部２９を備えている。
【００８７】
ＩＣカードリーダライタ２１は、ＩＣカード１９を挿入するための図示されないカード挿入口を備え、該カード挿入口に挿入された顧客のＩＣカード１９から、電子マネー機関「Ａ」における顧客識別情報としてのクレジットカード番号や、電子マネー情報、金融機関「Ｂ」における顧客識別情報としての口座番号等の各種データを読み取るＩＣカード読取部としての機能と、ＩＣカード１９に格納されている電子マネー情報を更新して書き換えるＩＣカード書込部としての機能とを有している。
【００８８】
一時記憶部２２は、ＩＣカードリーダライタ２１により読み取られたデータや、後述する表示入力部２３により取得されたデータ等を、一時的に記憶する記憶部である。
【００８９】
表示入力部２３は、例えばタッチパネルからなり、顧客に選択させるための選択画面や、顧客に入力させるための入力画面等の各種画面を表示する表示部としての機能と、選択データや入力データ等を顧客に入力させて取得する入力部としての機能とを有する。表示入力部２３により取得されたデータは、一時記憶部２２に送られる。この表示入力部２３を介して、顧客は、ＩＣカード１９への変換電子マネーの格納要求を示す格納要求データを入力することができる。
【００９０】
装置画面格納部２４は、画面格納部として、表示入力部２３に表示するための各種画面を格納している。
【００９１】
装置画面編集部２５は、画面編集部として、装置画面格納部２４から画面を読み出し、後述する装置通信部２８により電子マネー機関サーバ１４から受信した各種データに基づいて、該画面を適宜に編集する機能を有する。
【００９２】
装置演算処理部２６は、ＩＣカードリーダライタ２１により読み取られた電子マネー情報に対して、加算或いは減算等の演算処理を行う機能を有する。また、装置演算処理部２６は、後述するように、変換電子マネー情報に基づく演算処理を行う機能を有する。
【００９３】
装置生成部２７は、電子マネー機関サーバ１４へ送信するための各種信号を生成する機能を有する。
【００９４】
装置通信部２８は、装置送信部及び装置受信部としての機能を有し、専用回線１２を介してホストコンピュータ１３及び電子マネー機関サーバ１４との間でデータの送受信を行う。
【００９５】
装置制御部２９は、上記した各部２１〜２８を制御する機能を有する。
【００９６】
ＩＣカード１９は、本実施例では、電子マネー機関「Ａ」により顧客に対して発行された電子マネーカードであり、クレジットカード機能及び電子マネー機能を有すると共に、該電子マネー機関「Ａ」と業務提携を結ぶポイント機関としての金融機関「Ｂ」におけるキャッシュカード機能を併せ持つ一体型カードであり、クレジットカード情報格納部４４、口座情報格納部４５及び電子マネー情報格納部４６を備えている。
【００９７】
クレジットカード情報格納部４４は、ＩＣカード１９のクレジットカードとしてのクレジットカード番号を含む各クレジットカード情報を格納している。クレジットカード情報格納部４４に格納されるクレジットカード番号は、電子マネー機関「Ａ」における顧客識別情報に対応している。
【００９８】
口座情報格納部４５は、ＩＣカード１９のキャッシュカードとしての各情報、即ち、金融機関の機関識別情報「Ｂ」や、該金融機関に設けられた顧客の口座の口座番号等を含む各口座情報を格納している。口座情報格納部４５に格納される口座番号は、ポイント機関「Ａ」における顧客識別情報に対応している。
【００９９】
電子マネー情報格納部４６は、ＩＣカード１９に格納されている電子マネーの残高を示す電子マネー情報を格納している。電子マネー情報格納部４６に格納される電子マネー情報は、使用状況に応じて書き換え可能なデータであり、例えば、上述した格納要求データの入力により、自動取引装置１１のＩＣカードリーダライタ２１により書き換えられる。
なお、電子マネー情報格納部に格納される電子マネー情報は、該電子マネーカードを使用可能な店舗における決済金額の支払に利用可能である。
【０１００】
上記したポイント変換システム１０の構成を利用して、顧客は、ポイント機関「Ｂ」により付与されたポイントを、電子マネー機関「Ａ」の電子マネーに変換して、所有するＩＣカード１９に格納させることができる。
【０１０１】
続いて、クレジットカード番号「１１１１−１１１１−１１１１−１１１１」及び口座番号「１１１１１１１」を有する一体型のＩＣカード１９を所持する顧客の口座に対して、ポイント機関「Ｂ」により付与されたポイントから、電子マネー機関「Ａ」における電子マネーへの変換を行う場合の、ポイント変換システム１０の動作について、図８に示すフローチャート及び図９に示す画面推移図に沿って説明する。
【０１０２】
図８は、本発明に係るポイント変換システムの実施例１のポイント変換動作を示すフローチャートであり、図９は、顧客端末の端末表示部に表示される画面の説明図である。
【０１０３】
顧客が顧客端末１８の端末入力部４８を操作して、ポイント機関サーバ１６−Ｂに対するアクセス要求データを入力すると、端末制御部５０は、端末通信部４９を制御して、該アクセス要求データをポイント機関サーバ１６−Ｂへ送信させる（Ｓ３０１）。
【０１０４】
ポイント機関サーバ１６−Ｂにおいて、ポイントサーバ通信部５１が顧客端末１８からアクセス要求データを受信すると、ポイントサーバ制御部６１は、サーバ画面格納部５８からポイントサービスのためのサービス選択画面を読み出して、ポイントサーバ通信部５１により該サービス選択画面を顧客端末１８へ送信する。
【０１０５】
顧客端末１８において、端末通信部４９がサービス選択画面を受信すると、端末制御部５０は、端末表示部４７を制御して、該サービス選択画面（図９（ａ））を表示させる（Ｓ３０２）。
【０１０６】
サービス選択画面には、図９（ａ）に示されるように、ポイント機関「Ｂ」のポイントから他のポイント機関のポイントへのポイント交換処理を選択するための「ポイント交換」選択ボタンと、ポイント機関「Ｂ」のポイントから電子マネー機関の電子マネーへのポイント変換処理を選択するための「ポイント変換」選択ボタンと、累積ポイント情報を照会するための「ポイント照会」選択ボタンとが、それぞれ設けられている。
【０１０７】
サービス選択画面（図９（ａ））において、顧客が端末入力部４８を操作して、「ポイント変換」選択ボタンを押圧すると、ポイント変換要求を示す変換要求データが入力され、端末通信部４９によりポイント機関サーバ１６−Ｂへ送信される（Ｓ３０３）。
【０１０８】
ポイント機関サーバ１６−Ｂにおいて、ポイントサーバ通信部５１が顧客端末１８からポイント変換選択データを受信すると、ポイントサーバ制御部６１は、ポイントサーバ通信部５１により口座情報入力画面を顧客端末１８へ送信する。
【０１０９】
顧客端末１８において、端末通信部４９が口座情報入力画面を受信すると、端末制御部５０は、端末表示部４７を制御して、該口座情報入力画面（図９（ｂ））を表示させる（Ｓ３０４）。
【０１１０】
口座情報入力画面には、図９（ｂ）に示されるように、顧客の口座における口座番号を入力するための口座番号入力領域と、該口座における口座暗証番号を入力するための口座暗証番号入力領域とが、それぞれ表示されている。
【０１１１】
口座情報入力画面（図９（ｂ））において、顧客が端末入力部４８を操作して、口座番号「１１１１１１１」及び口座暗証番号としての端末入力番号「１２３４」を入力すると、端末制御部５０は、入力された口座番号及び端末入力番号を、端末通信部４９によりポイント機関サーバ１６―Ｂへ送信する。
【０１１２】
ポイント機関サーバ１６−Ｂにおいて、ポイントサーバ通信部５１が顧客端末１８から口座番号及び端末入力番号を受信すると、ポイントサーバ制御部６１は、ポイント検索判断部５４を制御して、ポイント情報格納部５２を検索させて、受信した口座番号に対応する口座暗証番号に受信した端末入力番号が一致するか否かを判断する（Ｓ３０５）。
【０１１３】
一致すると判断される（Ｓ３０５）と、ポイントサーバ制御部６１は、続いて、ポイント変換先の電子マネー機関を選択するための電子マネー機関選択画面をポイントサーバ通信部５１により顧客端末１８へ送信する。
【０１１４】
顧客端末１８において、端末通信部４９が電子マネー機関選択画面を受信すると、端末制御部５０は、端末表示部４７を制御して、該電子マネー機関選択画面（図９（ｃ））を表示させる（Ｓ３０６）。
【０１１５】
電子マネー機関選択画面には、図９（ｃ）に示されるように、ポイント変換する電子マネーを発行する電子マネー機関を選択するための選択ボタンが表示されている。
【０１１６】
電子マネー機関選択画面（図９（ｃ））において、顧客が端末入力部４８を操作して、電子マネー機関「Ａ」を選択するための選択ボタンを選択すると、該電子マネー機関に対応する機関識別情報「Ａ」が、変換先機関識別情報として端末入力部４８から入力され、端末通信部４９によりポイント機関サーバ１６−Ｂへ送信される（Ｓ３０７）。
【０１１７】
ポイント機関サーバ１６−Ｂにおいて、ポイントサーバ通信部５１が顧客端末１８から変換先機関識別情報を受信すると、ポイントサーバ制御部６１は、クレジットカード番号入力画面をポイントサーバ通信部５１により顧客端末１８へ送信する。
【０１１８】
顧客端末１８において、端末通信部４９がクレジットカード番号入力画面を受信すると、端末制御部５０は、端末表示部４７を制御して、該クレジットカード番号入力画面（図９（ｄ））を表示させる（Ｓ３０８）。
【０１１９】
クレジットカード番号入力画面には、図９（ｄ）に示されるように、顧客のクレジットカードにおけるクレジットカード番号を入力するためのクレジットカード番号入力領域が表示されている。
【０１２０】
クレジットカード番号入力画面（図９（ｄ））において、顧客が端末入力部４８を操作して、クレジットカード番号「１１１１−１１１１−１１１１−１１１１」を入力すると、端末制御部５０は、入力されたクレジットカード番号を、端末通信部４９によりポイント機関サーバ１６―Ｂへ送信する（Ｓ３０９）。
【０１２１】
ポイント機関サーバ１６−Ｂにおいて、ポイントサーバ通信部５１が顧客端末１８からクレジットカード番号を受信すると、ポイントサーバ制御部６１は、電子マネー演算部５７を制御して、レート格納部５６から、受信した変換先機関識別情報に対応するポイント変換レート及び許可金額種別情報を読み出させ、これらのデータに基づいて、変換可能な電子マネーの金額を示す変換電子マネー情報を演算させる（Ｓ３１０）。電子マネー演算部５７は、累積ポイント情報「１８０００」、ポイント変換レート「２０００ポイント→１０００円」及び許可金額種別情報「２０００，４０００，６０００，８０００，１００００」に基づいて、変換電子マネー情報「２０００，４０００，６０００，８０００」を演算する。
【０１２２】
続いて、ポイントサーバ制御部６１の制御により、サーバ画面編集部５９は、電子マネーへ変換するポイント数を示す変換ポイント情報を顧客に選択させるための変換ポイント情報選択画面をサーバ画面格納部５８から読み出して、累積ポイント情報、ポイント変換レート及び変換電子マネー情報に基づいて、該変換ポイント情報選択画面を編集する。そして、ポイントサーバ通信部５１が、該変換ポイント情報選択画面を顧客端末１８へ送信する。
【０１２３】
顧客端末１８において、端末通信部４９が変換ポイント情報選択画面を受信すると、端末制御部５０は、端末表示部４７を制御して、受信した変換ポイント情報選択画面（図９（ｅ））を表示させる（Ｓ３１１）。
【０１２４】
変換ポイント情報選択画面には、図９（ｅ）に示されるように、顧客の口座における累積ポイント数を示す累積ポイント情報と、ポイント変換レートとが表示されている。また、変換ポイント情報選択画面には、変換ポイント情報及び対応する変換電子マネー情報が表示された変換ポイント情報選択ボタンが表示されている。
【０１２５】
変換ポイント情報選択画面（図９（ｅ））において、顧客が端末入力部４８を操作して、
「１６０００ポイント→８０００円」に対応する変換ポイント情報選択ボタンを選択すると、端末入力部４８は変換ポイント情報「１６０００」及び変換電子マネー情報「８０００」を入力する（Ｓ３１２）。該入力を受けて、端末制御部５０は、入力された変換ポイント情報及び変換電子マネー情報を、端末通信部４９によりポイント機関サーバ１６−Ｂへ送信する（Ｓ３１２）。
【０１２６】
ポイント機関サーバ１６−Ｂにおいて、ポイントサーバ通信部５１が顧客端末１８から変換ポイント情報及び変換電子マネー情報を受信すると、ポイントサーバ制御部６１は、ポイント検索読出部５５を制御して、口座番号に基づいてポイント情報格納部５２を検索させ、対応するクレジットカード番号の読み出しを実行させる。そして、ポイントサーバ生成部６０がポイント変換要求を示す変換要求信号を生成して、ポイントサーバ通信部５１が、顧客端末１８から受信した変換電子マネー情報と共に、受信したクレジットカード番号、生成された変換要求信号、該ポイント機関サーバ１６−Ｂの機関識別情報「Ｂ」及び顧客の口座番号を、受信した変換先機関識別情報に基づいて、電子マネー機関サーバ１４へ送信する（Ｓ３１３）。
【０１２７】
電子マネー機関サーバ１４において、電子マネーサーバ通信部３０がポイント機関サーバ１６−Ｂから変換要求信号、変換電子マネー情報「８０００」、クレジットカード番号「１１１１−１１１１−１１１１−１１１１」、機関識別情報「Ｂ」及び口座番号「１１１１１１１」を受信すると、電子マネーサーバ制御部３８は、第１検索読出部３４を制御して、クレジットカード番号及び機関識別情報及に基づいて顧客情報格納部３１を検索させる。そして、電子マネー処理部３２が、対応する変換電子マネー情報項目４１に格納されている変換電子マネー情報に、受信した変換電子マネー情報を加算して格納する（Ｓ３１４）。
【０１２８】
その後、電子マネーサーバ制御部３８は、電子マネーサーバ生成部３７に変換電子マネー情報の格納が完了したことを示す格納済信号を生成させて、電子マネーサーバ通信部３０により該格納済信号及び口座番号「１１１１１１１」を、ポイント機関サーバ１６−Ｂへ送信する（Ｓ３１５）。
【０１２９】
ポイント機関サーバ１６−Ｂにおいて、ポイントサーバ通信部５１が電子マネー機関サーバ１４から格納済信号及び口座番号を受信すると、ポイントサーバ制御部６１は、ポイント処理部５３を制御して、ポイント情報格納部５２に格納されている累積ポイント情報からの変換ポイント情報の減算処理を実行させる（Ｓ３１６）。ポイント処理部５３は、口座番号「１１１１１１１」に対応する累積ポイント情報項目６２に格納されている累積ポイント情報「１８０００」に対して、変換ポイント情報「１６０００」の減算処理を行い、該累積ポイント情報を「２０００」に書き換える。
【０１３０】
そして、ポイントサーバ制御部６１の制御により、サーバ画面編集部５９が、ポイント変換結果を顧客に通知するための変換結果通知画面をサーバ画面格納部５８から読み出して、変換ポイント情報、変換電子マネー情報及び書き換えられた累積ポイント情報に基づいて編集する。編集された変換結果通知画面は、ポイントサーバ通信部５１により顧客端末１８へ送信される。
【０１３１】
顧客端末１８において、端末通信部４９が変換結果通知画面を受信すると、端末制御部５０は、端末表示部４７を制御して、該変換結果通知画面（図９（ｆ））を表示させる（Ｓ３１７）。
【０１３２】
変換結果通知画面には、図９（ｆ）に示されるように、変換ポイント情報、変換電子マネー情報及びポイント変換処理後の累積ポイント情報が表示される。
【０１３３】
上記のように、ポイント機関「Ｂ」のポイントが電子マネー機関「Ａ」の電子マネーに変換された後、電子マネー機関サーバ１４の顧客情報格納部３１における該顧客のクレジットカード番号及び機関識別情報「Ｂ」に対応する変換電子マネー情報項目４１に、変換電子マネー情報として格納される。
【０１３４】
次に、クレジットカード番号「１１１１−１１１１−１１１１−１１１１」及び口座番号「１１１１１１１」を有する一体型のＩＣカード１９を所持する顧客が、ポイント機関「Ｂ」のポイントから変換された電子マネーを、自動取引装置１１を利用して、該ＩＣカード１９に格納させる場合の処理の手順について、図１０に示すフローチャート及び図１１に示す画面推移図に沿って説明する。
なお、顧客のＩＣカード１９の電子マネー情報格納部４６には、電子マネー情報として「９９９９９９」、即ち、９９９９９９円分の電子マネーが、既に格納されているものとする。
【０１３５】
図１０は、本発明に係るポイント変換システムの実施例１の電子マネー格納動作を示すフローチャートであり、図１１は、実施例１における自動取引装置の表示入力部に表示される画面の説明図である。
【０１３６】
顧客が自動取引装置１１の前に立つと、図示しない検知センサにより検知され、検知信号が装置制御部２９に送られる。この検知信号を受けて、装置制御部２９は、各部の制御を実施する。
【０１３７】
装置制御部２９は、まず、顧客に取引処理を選択させるための取引処理選択画面（図１１（ａ））を装置画面格納部２４から読み出して、表示入力部２３に表示させる（Ｓ１０１）。
【０１３８】
取引処理選択画面には、図１１（ａ）に示されるように、金融機関における口座に対する取引処理を選択するための銀行業務選択ボタン、クレジットカード業務を選択するためのクレジット業務選択ボタン及びＩＣカード業務を選択するためのＩＣカード業務選択ボタンが、それぞれ設けられている。
【０１３９】
取引処理選択画面において、顧客がＩＣカード業務選択ボタンを押圧すると、ＩＣカード業務が選択されたことを示す選択信号が、表示入力部２３から装置制御部２９に送られる。該選択信号を受けて、装置制御部２９は、ＩＣカード業務における各メニューを表示して顧客に選択させるためのメニュー選択画面（図１１（ｂ））を装置画面格納部２４から読み出して、表示入力部２３に表示させる（Ｓ１０２）。
【０１４０】
メニュー選択画面には、図１１（ｂ）に示されるように、ＩＣカード１９への電子マネーの格納を選択するための「チャージ」選択ボタンや、該電子マネー機関「Ａ」のポイントサービスにおいて貯まったポイントを、電子マネーに変換してＩＣカード１９に格納させることを選択するための「ポイントチャージ」選択ボタン、業務提携を結ぶポイント機関により発行されたポイントから変換された電子マネーのＩＣカード１９への格納を選択するための「提携ポイントチャージ」選択ボタン等の各メニュー選択ボタンと、処理を中止するための「取消」ボタンとが、それぞれ設けられている。
【０１４１】
メニュー選択画面において、顧客が「提携ポイントチャージ」選択ボタンを押圧すると、ポイント変換された電子マネーの顧客のＩＣカード１９への格納要求を示す格納要求データが、表示入力部２３から入力される（Ｓ１０３）。入力された格納要求データは、一時記憶部２２に記憶される。
【０１４２】
格納要求データの入力を受けて、装置制御部２９は、顧客にＩＣカード１９の挿入を促すためのカード挿入画面（図１１（ｃ））を装置画面格納部２４から読み出して、表示入力部２３に表示させる（Ｓ１０４）。
【０１４３】
カード挿入画面において、顧客がＩＣカードリーダライタ２１のカード挿入口に、顧客のＩＣカード１９を挿入すると、ＩＣカードリーダライタ２１は、挿入されたＩＣカード１９のクレジットカード情報格納部４４からクレジットカード番号「１１１１１１１１１１１１１１１１」を、口座情報格納部４５から金融機関の機関識別情報「Ｂ」を、そして電子マネー情報格納部４６から電子マネー情報「９９９９９９」を、それぞれ読み取る。読み取られた各データは、一時記憶部２２に記憶される。
【０１４４】
続いて、装置制御部２９は、ＩＣカードリーダライタ２１によりＩＣカード１９から読み取られた各データに基づいて、該ＩＣカード１９が変換電子マネーを格納可能なカードであるか否かの判断を行う（Ｓ１０５）。不可であると判断された場合、表示入力部２３は、該判断結果を顧客に通知するための図示されない画面を表示し、ＩＣカードリーダライタ２１は、挿入されたＩＣカード１９を排出する（Ｓ１０６）。
【０１４５】
格納可能であると判断される（Ｓ１０５）と、装置制御部２９は、ＩＣカード１９のクレジットカードとしての暗証番号を入力させるための暗証番号入力画面（図１１（ｄ））を装置画面格納部２４から読み出して、表示入力部２３に表示させる（Ｓ１０７）。
【０１４６】
暗証番号入力画面には、図１１（ｄ）に示されるように、暗証番号を顧客に入力させるための入力領域が設けられている。該暗証番号入力画面において、顧客が暗証番号として装置入力番号「１１１１」を入力すると、該装置入力番号は一時記憶部２２に記憶される。
【０１４７】
続いて、装置制御部２９は、一時記憶部２２から格納要求データ、クレジットカード番号、ポイント機関の機関識別情報及び装置入力番号を読み出して、装置通信部２８にこれらを電子マネー機関サーバ１４へ送信させると共に、装置画面格納部２４から読み出した通信中画面（図１１（ｅ））を表示入力部２３に表示させる（Ｓ１０８）。
【０１４８】
電子マネー機関サーバ１４において、電子マネーサーバ通信部３０が自動取引装置１１から格納要求データ、クレジットカード番号、ポイント機関の機関識別情報及び装置入力番号を受信すると、電子マネーサーバ制御部３８は、検索判断部３３を制御して、認証処理を実行させる。検索判断部３３は、受信したクレジットカード番号に基づいて、顧客情報格納部３１を検索し、該クレジットカード番号に対応して格納されている暗証番号が、受信した装置入力番号に一致するか否かを判断する（Ｓ１０９）。顧客情報格納部３１（図４）において、クレジットカード番号「１１１１−１１１１−１１１１−１１１１」に対応して格納されている暗証番号は「１１１１」であるので、検索判断部３３は、受信した装置入力番号「１１１１」に一致すると判断する。
【０１４９】
一致すると判断される（Ｓ１０９）と、電子マネーサーバ制御部３８は、第１検索読出部３４に顧客情報格納部３１を検索させて、受信したクレジットカード番号及び機関識別情報に対応する変換電子マネー情報項目４１から、格納されている変換電子マネー情報の読み出しを実行させる。第１検索読出部３４は、顧客情報格納部３１（図４）において、クレジットカード番号「１１１１−１１１１−１１１１−１１１１」及び機関識別情報「Ｂ」に対応する変換電子マネー情報項目４１−１から、変換電子マネー情報「８０００」を読み出す。
【０１５０】
また、電子マネーサーバ制御部３８は、第２検索読出部３６にポイント機関情報格納部３５を検索させて、受信した機関識別情報に対応する案内文言情報項目４２から、格納されている案内文言情報の読み出しを実行させる。第２検索読出部３６は、ポイント機関情報格納部３５（図６）において、機関識別情報「Ｂ」に対応する案内文言情報項目４２から、案内文言情報「チャージ可能な金額は、２０００円、４０００円、６０００円、８０００円、１００００円となります…」を読み出す。
【０１５１】
そして、電子マネーサーバ制御部３８の制御により、電子マネーサーバ通信部３０が、読み出された変換電子マネー情報及び案内文言情報を、自動取引装置１１へ送信する（Ｓ１１０）。
【０１５２】
自動取引装置１１において、装置通信部２８が電子マネー機関サーバ１４から変換電子マネー情報及び案内文言情報を受信すると、装置制御部２９は、装置画面編集部２５を制御して、受信した各情報に基づく画面の編集処理を行わせる（Ｓ１１１）。装置画面編集部２５は、装置画面格納部２４から案内文言表示画面及び金額確認画面を読み出して、これらの画面の編集処理を行う。
【０１５３】
案内文言表示画面は、図１１（ｆ）に示されるように、電子マネー機関サーバ１４から受信した案内文言情報を含んで構成される。また、案内文言表示画面には、「取消」ボタンと、表示された案内文言を確認して次のステップに進むことを選択するための「確認」ボタンとが、それぞれ設けられている。
【０１５４】
金額確認画面には、図１１（ｇ）に示されるように、一時記憶部２２に記憶されている電子マネー情報がチャージ済金額として、また、電子マネー機関サーバ１４から受信した変換電子マネー情報がチャージ金額として、それぞれ表示される。
【０１５５】
装置画面編集部２５により編集処理を施された各画面は、一時記憶部２２に記憶される。
【０１５６】
続いて、装置制御部２９は、一時記憶部２２から案内文言表示画面（図１１（ｆ））を読み出して、表示入力部２３に表示させる（Ｓ１１２）。
【０１５７】
案内文言表示画面において、顧客が「確認」ボタンを押圧すると、装置制御部２９は、一時記憶部２２から金額確認画面（図１１（ｇ））を読み出して、表示入力部２３に表示させる（Ｓ１１３）。
【０１５８】
金額確認画面において、顧客が表示を確認した後、確認ボタンを押圧すると、表示入力部２３はＩＣカード１９への表示されている変換電子マネー情報に対応する金額種別情報を入力する（Ｓ１１４）。
【０１５９】
続いて、装置制御部２９は、処理中であることを示す処理中画面（図１１（ｈ））を装置画面格納部２４から読み出して、表示入力部２３に表示させる（Ｓ１１５）。
また、装置制御部２９は、装置演算処理部２６を制御して、一時記憶部２２に記憶されている電子マネー情報に入力された金額種別情報を加算した更新電子マネー情報を計算させる。そして、装置制御部２９は、ＩＣカードリーダライタ２１を制御して、該更新電子マネー情報を電子マネー情報として、ＩＣカード１９の電子マネー情報格納部４６に格納させる（Ｓ１１５）。即ち、電子マネー情報「９９９９９９」に金額種別情報「８０００」が加算された更新電子マネー情報「１００７９９９」が、ＩＣカード１９の電子マネー情報格納部４６に格納される。
【０１６０】
更に、装置制御部２９は、装置生成部２７を制御して、変換電子マネーの格納済を示す格納済信号を生成させて、該格納済信号と共に、一時記憶部２２に記憶されているクレジットカード番号「１１１１−１１１１−１１１１−１１１１」、機関識別情報「Ｂ」及び金額種別情報「８０００」を、装置通信部２８により電子マネー機関サーバ１４へ送信する（Ｓ１１６）。
【０１６１】
電子マネー機関サーバ１４において、電子マネーサーバ通信部３０が自動取引装置１１から格納済信号、クレジットカード番号、機関識別情報及び金額種別情報を受信すると、電子マネーサーバ制御部３８は、電子マネー処理部３２を制御して、顧客情報格納部３１に格納されている変換電子マネー情報に対する減算処理を実行させる（Ｓ１１７）。電子マネー処理部３２は、受信したクレジットカード番号及び機関識別情報に対応して、顧客情報格納部３１に格納されている変換電子マネー情報「８０００」に対して、受信した金額種別情報「８０００」の減算処理を行い、該変換電子マネー情報を「０」に書き換える。
【０１６２】
その後、電子マネーサーバ制御部３８は、電子マネーサーバ生成部３７に、処理が完了したことを示す完了信号を生成させ、電子マネーサーバ通信部３０により該完了信号を自動取引装置１１へ送信する（Ｓ１１８）。
【０１６３】
自動取引装置１１において、装置通信部２８が電子マネー機関サーバ１４から完了信号を受信すると、装置制御部２９は、ＩＣカード１９の排出を示すカード排出画面（図１１（ｉ））を装置画面格納部２４から読み出して、表示入力部２３に表示させる（Ｓ１１９）。また、装置制御部２９は、図示されないレシート印刷部に取引処理の明細を記載したレシートを印刷させた後、ＩＣカードリーダライタ２１を制御して、顧客のＩＣカード１９及び印刷されたレシートを排出させる（Ｓ１１９）。
【０１６４】
上記のように、本実施例のポイント変換システムによれば、インターネットを介してポイント機関のポイントから電子マネー機関の電子マネーへの変換が可能となると共に、電子マネー機関の店舗に設置された自動取引装置を利用して、変換された電子マネーを顧客のＩＣカードに格納させることができるので、煩雑な手間が省略され、サービス性が向上されると共に、顧客のポイント使用率の向上や販売促進等の効果が期待される。また、電子マネー機能を有する既存の自動取引装置を利用可能なので、各自動取引装置に対する開発等の作業が不要となると共に、新規に業務提携を結ぶポイント機関の追加に対しても、柔軟な対応が可能となり、電子マネー機関は低コストでサービスの更なる向上を図ることが可能となる。
【０１６５】
なお、本実施例では、顧客のＩＣカードとして、電子マネー機関「Ａ」及びポイント機関「Ｂ」それぞれの機関識別情報及び顧客識別情報が格納され、電子マネー機能を有する一体型カードを採用したが、電子マネー機関「Ａ」における電子マネー機能のみを有する電子マネーカードを採用することも可能である。この場合、自動取引装置を介して、ポイント機関の機関識別情報や電子マネー機関における顧客識別情報の入力を行うことにより、電子マネー機関においてポイント変換元として予め登録されたポイント機関のポイントからポイント変換された電子マネーを、該ＩＣカードに格納させることができる。また、ポイント変換元の登録がなくても、自動取引装置を介して、ポイント機関における顧客識別情報を入力することにより、上記ポイント変換処理が可能である。
【０１６６】
また、本実施例のポイント変換システムでは、電子マネー機関サーバは、ホストコンピュータに接続されているが、ホストコンピュータに電子マネー機関サーバとしての機能を持たせることも可能である。同様に、ポイント機関サーバとして、ポイント機関のホストコンピュータを採用することも可能である。
【実施例２】
【０１６７】
図１２は、本発明の実施例２に係るポイント変換システムのシステム構成図である。
なお、本実施例において、実施例１と同様な構成及び動作については同一の符号で示し、これらについての説明を省略する。
【０１６８】
本実施例に係るポイント変換システム７０は、図１２に示されるように、電子マネー機関「Ａ」の店舗に設置される自動取引装置１１と、該電子マネー機関「Ａ」のセンタに配置され、該自動取引装置１１に通信回線としての専用回線１２を介して接続されるホストコンピュータ１３及び電子マネー機関サーバ７１と、該電子マネー機関「Ａ」と業務提携を結ぶ複数のポイント機関に配置され、該電子マネー機関サーバ７１とインターネット１５を介して通信可能な複数のポイント機関サーバ７２と、顧客のＩＣカード１９とから構成される。
【０１６９】
図１３は、本発明の実施例２に係るポイント変換システムの一部の構成を示すブロック図である。
なお、本実施例では、ポイント機関「Ｂ」が金融機関である場合を例として、該金融機関「Ｂ」のキャッシュカードとしての機能を有し、電子マネー機関「Ａ」により発行された一体型のクレジットカードとしてのＩＣカード１９を含むポイント変換システム７０について説明する。
【０１７０】
自動取引装置７１は、電子マネー機関「Ａ」の店舗に設置され、図１３に示されるように、ＩＣカードリーダライタ２１、一時記憶部２２、表示入力部２３、装置画面格納部２４、装置画面編集部２５、装置演算処理部２６、装置生成部２７、装置通信部２８及びこれら各部を制御するための装置制御部２９を備えている。
【０１７１】
電子マネー機関サーバ７１は、本実施例では電子マネー機関「Ａ」に配置され、該電子マネー機関を識別するための機関識別情報「Ａ」を有し、図１３に示されるように、電子マネーサーバ通信部３０、顧客情報格納部３１、検索判断部３３、第１検索読出部３４、ポイント機関情報格納部７３、第２検索読出部３６、ポイント演算部７４、電子マネーサーバ生成部３７及びこれら各部を制御するための電子マネーサーバ制御部７５を備えている。
【０１７２】
ポイント機関情報格納部７３は、変換レートを格納するレート格納部としての機能を有し、また、自動取引装置１１において表示される各種文言などのデータを格納する機能を有する。
【０１７３】
図１４は、実施例２におけるポイント機関情報格納部の構成を示す説明図である。
ポイント機関情報格納部７３は、図１４に示されるように、ポイント機関毎に機関識別情報に対応して、ポイント変換レート項目７６と、案内文言情報項目４２と、許可金額種別情報項目４３とが、それぞれ設けられている。
【０１７４】
ポイント変換レート項目７６には、該電子マネー機関「Ａ」と業務提携を結ぶ各ポイント機関により発行されたポイントを、電子マネー機関「Ａ」の電子マネーへ変換する際の各変換レートが、ポイント変換レートとして格納されている。本実施例では、ポイント変換レート項目７６には、１０００円分の電子マネーへの変換に必要なポイント数が、ポイント変換レートとして格納されている。
【０１７５】
例えば、図１４に示されるポイント機関情報格納部７３では、機関識別情報「Ｂ」に対応するポイント変換レート項目７６には、ポイント変換レートとして「２０００」が格納されている。即ち、２０００ポイントあたり１０００円のポイント変換レートにより、ポイント機関「Ｂ」のポイントから電子マネー機関「Ａ」の電子マネーへのポイント変換処理が実施される。
【０１７６】
ポイント演算部７４は、電子マネーサーバ通信部３０によりポイント機関サーバ７２から受信したポイント機関における顧客の累積ポイント数を示す累積ポイント情報と、第２検索読出部３６によりポイント機関情報格納部７３から読み出されたポイント変換レート及び許可金額種別情報とに基づいて、以下の演算処理を行う。即ち、ポイント演算部７４は、顧客の累積ポイント数内で、１回のポイント変換処理においてＩＣカード１９に格納させることが可能な変換電子マネーの金額種別を、格納可能金額種別情報として演算する。また、ポイント演算部７４は、演算された各格納可能金額種別情報に対応するポイント数を、変換ポイント情報として演算する。
【０１７７】
電子マネーサーバ制御部７５は、上記した各部を制御する機能を有する。
【０１７８】
ポイント機関サーバ７２−Ｂは、上述したように、ポイント機関としての金融機関「Ｂ」に配置され、機関識別情報「Ｂ」を有し、図１３に示されるように、ポイントサーバ通信部７７、ポイント情報格納部５２、ポイント処理部５３、ポイント検索読出部５５、ポイントサーバ生成部６０及びこれら各部を制御するためのポイントサーバ制御部７８を備えている。
【０１７９】
ポイントサーバ通信部７７は、インターネット１５を介して電子マネー機関サーバ１４との間でデータの送受信を行う。ポイントサーバ通信部７７により受信されたデータは、図示されない一時記憶部に記憶される。
【０１８０】
上記したポイント変換システム７０の構成を利用して、顧客は、ポイント機関「Ｂ」により付与されたポイントを、電子マネー機関「Ａ」の電子マネーに変換して、所有するＩＣカード１９に格納させることができる。
本実施例では、クレジットカード番号「１１１１−１１１１−１１１１−１１１１」及び口座番号「１１１１１１１」を有する一体型のＩＣカード１９を所持する顧客のポイント機関としての金融機関「Ｂ」における口座が、ポイント変換元として、電子マネー機関「Ａ」の電子マネー機関サーバ７１に予め登録されているものとする。
【０１８１】
続いて、該顧客がポイント機関「Ｂ」において付与されたポイントを、自動取引装置１１を利用して、電子マネー機関「Ａ」の電子マネーに変換して、該顧客のＩＣカード１９に格納させる場合の処理の手順について、図１５に示すフローチャート及び図１６に示す画面推移図に沿って説明する。
なお、顧客のＩＣカード１９の電子マネー情報格納部４６には、電子マネー情報として「９９９９９９」、即ち、９９９９９９円分の電子マネーが、既に格納されているものとする。
【０１８２】
図１５は、本発明に係るポイント変換システムの実施例２の動作を示すフローチャートであり、図１６は、実施例２における自動取引装置の表示入力部に表示される画面の説明図である。
【０１８３】
自動取引装置１１の前に立った顧客が、図示しない検知センサにより検知され、検知信号が装置制御部２９に送られると、装置制御部２９は、まず、取引処理選択画面（図１６（ａ））を装置画面格納部２４から読み出して、表示入力部２３に表示させる（Ｓ１０１）。
【０１８４】
取引処理選択画面において、顧客がＩＣカード業務選択ボタンを押圧すると、装置制御部２９は、メニュー選択画面（図１６（ｂ））を装置画面格納部２４から読み出して、表示入力部２３に表示させる（Ｓ１０２）。
【０１８５】
メニュー選択画面において、「提携ポイントチャージ」選択ボタンが押圧されると、業務提携を結ぶポイント機関により発行されたポイントを電子マネー機関「Ａ」の電子マネーに変換して、顧客のＩＣカード１９へ格納させるために、ポイント変換要求を示す変換要求データが、表示入力部２３から入力される（Ｓ２０１）。入力された変換要求データは、一時記憶部２２に記憶される。
【０１８６】
変換要求データの入力を受けて、装置制御部２９は、顧客にＩＣカード１９の挿入を促すためのカード挿入画面（図１６（ｃ））を装置画面格納部２４から読み出して、表示入力部２３に表示させる（Ｓ１０４）。
【０１８７】
カード挿入画面において、顧客がＩＣカードリーダライタ２１のカード挿入口に、顧客のＩＣカード１９を挿入すると、クレジットカード番号「１１１１−１１１１−１１１１−１１１１」、ポイント機関「Ｂ」の機関識別情報「Ｂ」、口座番号「１１１１１１１」及び電子マネー情報「９９９９９９」がそれぞれ読み取られ、一時記憶部２２に記憶される。
【０１８８】
続いて、装置制御部２９は、ＩＣカード１９が変換電子マネーを格納可能なカードであるか否かの判断を行う（Ｓ１０５）。不可であると判断された場合、表示入力部２３は、該判断結果を顧客に通知するための図示されない画面を表示し、ＩＣカードリーダライタ２１は、ＩＣカード１９を排出する（Ｓ１０６）。
【０１８９】
格納可能であると判断される（Ｓ１０５）と、装置制御部２９は、ＩＣカード１９の暗証番号を入力させるための暗証番号入力画面（図１６（ｄ））を装置画面格納部２４から読み出して、表示入力部２３に表示させる（Ｓ１０７）。暗証番号入力画面において、顧客が暗証番号として入力番号「１１１１」を入力すると、該入力番号は一時記憶部２２に記憶される。
【０１９０】
続いて、装置制御部２９は、一時記憶部２２から変換要求データ、クレジットカード番号、ポイント機関の機関識別情報、口座番号及び入力番号を読み出して、装置通信部２８にこれらを電子マネー機関サーバ７１へ送信させると共に、装置画面格納部２４から読み出した通信中画面（図１６（ｅ））を表示入力部２３に表示させる（Ｓ２０２）。
【０１９１】
電子マネー機関サーバ７１において、電子マネーサーバ通信部３０が自動取引装置１１から変換要求データ、クレジットカード番号、ポイント機関の機関識別情報、口座番号及び入力番号を受信すると、電子マネーサーバ制御部７５は、検索判断部３３を制御して、認証処理を実行させる。検索判断部３３は、受信したクレジットカード番号に基づいて、顧客情報格納部３１を検索し、該クレジットカード番号に対応して格納されている暗証番号が、受信した入力番号に一致するか否かを判断する（Ｓ１０９）。
【０１９２】
一致すると判断される（Ｓ１０９）と、電子マネーサーバ制御部７５は、第１検索読出部３４に顧客情報格納部３１を検索させて、受信したクレジットカード番号及び機関識別情報に対応する顧客識別情報項目４０から、格納されている顧客識別情報を読み出させる。第１検索読出部３４は、顧客情報格納部３１（図４）において、クレジットカード番号「１１１１−１１１１−１１１１−１１１１」及び機関識別情報「Ｂ」に対応する顧客識別情報項目４０−１から、顧客識別情報としての口座番号「１１１１１１１」を読み出す。この際、電子マネーサーバ制御部７５は、受信した口座番号と読み出された口座番号とが一致するか否かを判断し、一致しない場合は、処理を中断する。
【０１９３】
また、電子マネーサーバ制御部７５は、電子マネーサーバ生成部３７を制御して、累積ポイント情報の送信を要求するための送信要求信号を生成させる。
【０１９４】
そして、電子マネーサーバ制御部７５は、生成された送信要求信号と、読み出された口座番号とを、電子マネーサーバ通信部３０により、自動取引装置１１から受信した機関識別情報「Ｂ」に基づいて、ポイント機関サーバ７２−Ｂへ送信する（Ｓ２０３）。
【０１９５】
ポイント機関サーバ７２−Ｂにおいて、ポイントサーバ通信部７７が電子マネー機関サーバ７１から送信要求信号及び口座番号を受信すると、ポイントサーバ制御部７８は、ポイント検索読出部５５にポイント情報格納部５２を検索させて、受信した口座番号に対応する累積ポイント情報の読み出しを実行させる（Ｓ２０４）。ポイント検索読出部５５は、口座番号「１１１１１１１」に対応する累積ポイント情報項目６２から、累積ポイント情報「１８０００」を読み出す。
【０１９６】
そして、ポイントサーバ制御部７８は、ポイントサーバ生成部６０を制御して、電子マネーへのポイント変換要求を示す変換要求信号を生成させ、該変換要求信号と共に、読み出された累積ポイント情報及び機関識別情報「Ｂ」を、ポイントサーバ通信部７７により電子マネー機関サーバ７１へ送信する（Ｓ２０５）。
【０１９７】
電子マネー機関サーバ７１において、電子マネーサーバ通信部３０がポイント機関サーバ７２−Ｂから変換要求信号、累積ポイント情報及び機関識別情報を受信すると、電子マネーサーバ制御部７５は、受信した変換要求信号及び機関識別情報に基づいて、第２検索読出部３６にポイント機関情報格納部７３を検索させて、対応するポイント変換レート項目７６、案内文言情報項目４２及び許可金額種別情報項目４３から、ポイント変換レート、案内文言情報及び許可金額種別情報の読み出しを実行させる。第２検索読出部３６は、変換レート「２０００」、案内文言情報「ポイント変換レートは、２０００ポイントあたり１０００円です。チャージ可能な金額は、２０００円…」及び許可金額種別情報「２０００,４０００,６０００,８０００,１００００」を読み出す。
【０１９８】
続いて、電子マネーサーバ制御部７５は、ポイント演算部７４を制御して、ポイント機関サーバ７２−Ｂから受信した累積ポイント情報と第２検索読出部３６により読み出されたポイント変換レートとに基づいて、格納可能金額種別情報及び対応する変換ポイント情報を算出させる（Ｓ２０６）。ポイント演算部７４は、累積ポイント情報「１８０００」、ポイント変換レート「２０００」及び許可金額種別情報「２０００,４０００,６０００,８０００,１００００」に基づいて、格納可能金額種別情報「２０００,４０００,６０００,８０００」を算出する。更に、ポイント変換レートに基づいて、それぞれに対応する変換ポイント情報「４０００,８０００,１２０００,１６０００」を算出する。
【０１９９】
その後、電子マネーサーバ制御部７５は、案内文言情報、格納可能金額種別情報、変換ポイント情報及びポイント機関サーバ７２−Ｂから受信した累積ポイント情報を、電子マネーサーバ通信部３０により自動取引装置１１へ送信する（Ｓ２０７）。
【０２００】
自動取引装置１１において、装置通信部２８が電子マネー機関サーバ７１から案内文言情報、格納可能金額種別情報、変換ポイント情報及び累積ポイント情報を受信すると、装置制御部２９は、装置画面編集部２５を制御して、受信した各情報に基づく画面の編集処理を行わせる（Ｓ２０８）。装置画面編集部２５は、装置画面格納部２４から案内文言表示画面及び金額種別選択画面を読み出して、これらの画面の編集処理を行う。
【０２０１】
案内文言表示画面は、図１６（ｆ）に示されるように、電子マネー機関サーバ７１から受信した案内文言情報を含んで構成される。また、案内文言表示画面には、「取消」ボタンと、「確認」ボタンとが、それぞれ設けられている。
【０２０２】
金額種別選択画面には、図１６（ｇ）に示されるように、一時記憶部２２に記憶されている電子マネー情報がチャージ済金額として、また電子マネー機関サーバ７１から受信した累積ポイント情報がポイント残高として、それぞれ表示される。
また、金額種別選択画面には、ＩＣカード１９に格納する電子マネーの金額種別を選択するための複数の金額種別選択ボタンが、それぞれ設けられている。各金額種別選択ボタンには、電子マネー機関サーバ７１から受信した格納可能金額種別情報及び対応する変換ポイント情報が表示されており、顧客は、各金額種別選択ボタンの表示を見ることにより、ＩＣカード１９に格納可能な電子マネーの金額及び対応するポイント数を確認して、選択することができる。
【０２０３】
装置画面編集部２５により編集処理を施された各画面は、一時記憶部２２に記憶される。
【０２０４】
続いて、装置制御部２９は、一時記憶部２２から案内文言表示画面（図１６（ｆ））を読み出して、表示入力部２３に表示させる（Ｓ１１２）。
【０２０５】
案内文言表示画面において、「確認」ボタンが押圧されると、装置制御部２９は、一時記憶部２２から金額種別選択画面（図１６（ｇ））を読み出して、表示入力部２３に表示させる（Ｓ２０９）。
【０２０６】
金額種別選択画面において、何れかの金額種別選択ボタンが選択されると、該金額種別選択ボタンからの選択信号に基づいて、表示入力部２３はＩＣカード１９へ格納要求する金額種別を示す金額種別情報及び対応する変換ポイント情報の入力を行う（Ｓ２１０）。入力された金額種別情報及び変換ポイント情報は、一時記憶部２２に記憶される。例えば、「１６０００ポイント→８０００円」と表示された金額種別選択ボタンが選択されると、金額種別情報「８０００」及び変換ポイント情報「１６０００」が入力され、一時記憶部２２に記憶される。
【０２０７】
続いて、装置制御部２９は、入力された金額種別情報を顧客に確認させるための金額種別確認画面（図１６（ｈ））を装置画面格納部２４から読み出して、表示入力部２３に表示させる。
【０２０８】
金額種別確認画面において、「確認」ボタンが押圧されると、装置制御部２９は、処理中であることを示す処理中画面（図１６（ｉ））を装置画面格納部２４から読み出して、表示入力部２３に表示させる（Ｓ１１５）。
また、装置制御部２９は、装置演算処理部２６を制御して、一時記憶部２２に記憶されている電子マネー情報に、記憶されている金額種別情報を加算して、更新電子マネー情報を計算させる。そして、装置制御部２９は、ＩＣカードリーダライタ２１を制御して、該更新電子マネー情報を電子マネー情報として、ＩＣカード１９の電子マネー情報格納部４６に格納させる（Ｓ１１５）。即ち、電子マネー情報「９９９９９９」に金額種別情報「８０００」が加算された更新電子マネー情報「１００７９９９」が、ＩＣカード１９の電子マネー情報格納部４６に格納される。
【０２０９】
更に、装置制御部２９は、装置生成部２７を制御して、変換電子マネーの格納済を示す格納済信号を生成させて、該格納済信号と共に、一時記憶部２２に記憶されているクレジットカード番号「１１１１−１１１１−１１１１−１１１１」、機関識別情報「Ｂ」及び変換ポイント情報「１６０００」を、装置通信部２８により電子マネー機関サーバ７１へ送信する（Ｓ２１１）。
【０２１０】
電子マネー機関サーバ７１において、電子マネーサーバ通信部３０が自動取引装置１１から格納済信号、クレジットカード番号、機関識別情報、変換ポイント情報を受信すると、電子マネーサーバ制御部７５は、第１検索読出部３４を制御して、受信したクレジットカード番号及び機関識別情報に基づいて、顧客情報格納部３１を検索させて、対応する顧客識別情報の読み出しを実行させる。また、電子マネーサーバ制御部７５は、電子マネーサーバ生成部３７を制御して、ポイント機関により発行されたポイントの電子マネーへの変換済を示す変換済信号を生成させて、該変換済信号と共に、第１検索読出部３４により読み出された顧客識別情報と、自動取引装置１１から受信した変換ポイント情報とを、電子マネーサーバ通信部３０により、受信した機関識別情報「Ｂ」に基づいて、ポイント機関サーバ７２−Ｂへ送信する（Ｓ２１２）。
【０２１１】
ポイント機関サーバ７２−Ｂにおいて、ポイントサーバ通信部７７が電子マネー機関サーバ７１から変換済信号、顧客識別情報としての口座番号及び変換ポイント情報を受信すると、ポイントサーバ制御部７８は、ポイント処理部５３を制御して、ポイント情報格納部５２に格納されている累積ポイント情報に対する減算処理を実行させる（Ｓ２１３）。ポイント処理部５３は、受信した口座番号に対応してポイント情報格納部５２に格納されている累積ポイント情報「１８０００」に対して、変換ポイント情報「１６０００」の減算処理を行い、該累積ポイント情報を「２０００」に書き換える。
【０２１２】
その後、ポイントサーバ制御部７８は、ポイントサーバ生成部６０に、減算処理が完了したことを示す減算済信号を生成させ、ポイントサーバ通信部７７に、該減算済信号を電子マネー機関サーバ７１へ送信させる（Ｓ２１４）。
【０２１３】
電子マネー機関サーバ７１において、電子マネーサーバ通信部３０がポイント機関サーバ７２−Ｂから減算済信号を受信すると、電子マネーサーバ制御部７５は、電子マネーサーバ生成部３７に、処理が完了したことを示す完了信号を生成させ、電子マネーサーバ通信部３０に、該完了信号を自動取引装置１１へ送信させる（Ｓ１１８）。
【０２１４】
自動取引装置１１において、装置通信部２８が電子マネー機関サーバ７１から完了信号を受信すると、装置制御部２９は、カード排出画面（図１６（ｊ））を装置画面格納部２４から読出して、表示入力部２３に表示させると共に、顧客のＩＣカード１９及びレシートをＩＣカードリーダライタ２１から排出させる（Ｓ１１９）。
【０２１５】
上記のように、本実施例のポイント変換システムによれば、電子マネー機関の店舗に設置された自動取引装置を利用して、ポイント機関により付与されたポイントを該電子マネー機関の電子マネーに直接変換して、顧客のＩＣカードに格納させることができるので、処理に要する時間の短縮化が実現される。また、顧客は、ポイント機関サーバに対するポイント変換の申し込みを予め行う必要がなくなると共に、申し込み後すぐにポイントが電子マネーに変換されて使用可能となるので、サービス性の更なる向上が実現される。
【０２１６】
なお、本実施例では、顧客のＩＣカードとして、電子マネー機関「Ａ」及びポイント機関「Ｂ」それぞれの機関識別情報が格納され、電子マネー機能を有する一体型カードを採用したが、電子マネー機関「Ａ」における電子マネー機能のみを有する電子マネーカードを採用することも可能である。この場合、自動取引装置を介して、機関識別情報及び顧客識別情報の入力を行うことにより、ポイント変換元として予め登録されたポイント機関のポイントから、電子マネー機関の電子マネーに変換して、該電子マネーカードに格納させることができる。また、ポイント変換元の登録がなくても、自動取引装置を介して、ポイント機関における顧客識別情報を入力することにより、上記処理を実行可能である。その場合、ポイント機関における顧客識別情報に対する暗証番号等による認証処理を行うことも可能である。
【０２１７】
また、本実施例のポイント変換システムでは、電子マネー機関サーバは、ホストコンピュータに接続されているが、ホストコンピュータに電子マネー機関サーバとしての機能を持たせることも可能である。同様に、ポイント機関サーバとして、ポイント機関のホストコンピュータを採用することも可能である。
【０２１８】
また、本実施例では、電子マネー機関サーバに設けられたポイント機関情報格納部に、各ポイント機関のポイントとの変換レートが格納される構成が採用されたが、変換レートを格納する電子マネー情報格納部を各ポイント機関サーバに設ける構成をとることも可能である。この場合、ポイント機関サーバにおいて、変換レートに基づいて、格納可能金額種別情報や変換ポイント情報等の演算処理を行うことにより、上記したポイント変換処理を行うことができる。
【図面の簡単な説明】
【０２１９】
【図１】本発明の実施例１に係るポイント変換システムの一部の構成を示すブロック図である。
【図２】本発明の実施例１に係るポイント変換システムのシステム構成図である。
【図３】ポイント情報格納部の構成を示す説明図である。
【図４】レート格納部の構成を示す説明図である。
【図５】顧客情報格納部の構成を示す説明図である。
【図６】実施例１におけるポイント機関情報格納部の構成を示す説明図である。
【図７】本発明に係る自動取引装置の一例を示す概略構成図である。
【図８】本発明に係るポイント変換システムの実施例１のポイント変換動作を示すフローチャートである。
【図９】顧客端末の端末表示部に表示される画面の説明図である。
【図１０】本発明に係るポイント変換システムの実施例１の電子マネー格納動作を示すフローチャートである。
【図１１】実施例１における自動取引装置の表示入力部に表示される画面の説明図である。
【図１２】本発明の実施例２に係るポイント変換システムのシステム構成図である。
【図１３】本発明の実施例２に係るポイント変換システムの一部の構成を示すブロック図である。
【図１４】実施例２におけるポイント機関情報格納部の構成を示す説明図である。
【図１５】本発明に係るポイント変換システムの実施例２の動作を示すフローチャートである。
【図１６】実施例２における自動取引装置の表示入力部に表示される画面の説明図である。
【符号の説明】
【０２２０】
１０、７０  ポイント変換システム
１１        自動取引装置
１４、７１  電子マネー機関サーバ
１６、７２  ポイント機関サーバ
１９        ＩＣカード
【図１】
2008021013.tif 000003
【図２】
2008021013.tif 000004
【図３】
2008021013.tif 000005
【図４】
2008021013.tif 000006
【図５】
2008021013.tif 000007
【図６】
2008021013.tif 000008
【図７】
2008021013.tif 000009
【図８】
2008021013.tif 000010
【図９】
2008021013.tif 000011
【図１０】
2008021013.tif 000012
【図１１】
2008021013.tif 000013
【図１２】
2008021013.tif 000014
【図１３】
2008021013.tif 000015
【図１４】
2008021013.tif 000016
【図１５】
2008021013.tif 000017
【図１６】
2008021013.tif 000018